(57)【要約】【課題】  本技術は、個々の対象の酔い状態を的確に判定することを目的とする。【解決手段】  本技術は、対象の生体情報を第一の酔い状態指標として取得する第一指標取得部と、前記対象の動きに関する動き情報及び／又は前記対象が知覚する周囲環境情報に基づき、第二の酔い状態指標を取得する第二指標取得部と、前記第一の酔い状態指標と前記第二の酔い状態指標とに基づき、前記対象が酔い状態になるか又はなっているかを判定する酔い状態判定部とを含む酔い状態判定システムを提供する。また、本技術は、前記システムを構成する酔い状態判定装置、生体情報取得装置、及び周囲環境情報取得装置対象、並びに、酔い状態判定方法も提供する。【選択図】図３
2020124370.tif 000002
【特許請求の範囲】
【請求項１】
対象の生体情報を第一の酔い状態指標として取得する第一指標取得部と、
前記対象の動きに関する動き情報及び／又は前記対象が知覚する周囲環境情報に基づき、第二の酔い状態指標を取得する第二指標取得部と、
前記第一の酔い状態指標と前記第二の酔い状態指標とに基づき、前記対象が酔い状態になるか又はなっているかを判定する酔い状態判定部と
を含む酔い状態判定システム。
【請求項２】
前記酔い状態判定部の判定結果に基づき、前記対象の酔い状態を制御する酔い状態制御部をさらに含む、請求項１に記載の酔い状態判定システム。
【請求項３】
前記酔い状態制御部が、データベースから取得した情報に基づき、酔い状態を制御するための処置内容を決定する、請求項２に記載の酔い状態判定システム。
【請求項４】
リアルタイムで前記対象の酔い状態を判定する、請求項１に記載の酔い状態判定システム。
【請求項５】
前記第一の酔い状態指標及び前記第二の酔い状態指標の両方が各指標について設定された基準を満たす場合に、前記酔い状態判定部が、前記対象が酔い状態になる又はなっていると判定する、請求項１に記載の酔い状態判定システム。
【請求項６】
前記生体情報が、前記対象に由来する酵素に関する情報を含む、請求項１に記載の酔い状態判定システム。
【請求項７】
前記酵素がアミラーゼである、請求項６に記載の酔い状態判定システム。
【請求項８】
前記動き情報が、前記対象の体の動きに関する動き情報であり、
前記周囲環境情報が、前記対象が視覚によって知覚する映像に関する映像情報であり、且つ、
前記第二指標取得部が、前記動き情報及び前記映像情報に基づき、第二の酔い状態指標を取得する、
請求項１に記載の酔い状態判定システム。
【請求項９】
前記動き情報が、前記対象の体の動きに基づく第一の加速度情報であり、
前記周囲環境情報が、前記対象が視覚によって知覚する映像に基づく第二の加速度情報であり、且つ、
前記第二指標取得部が、前記第一の加速度情報及び前記第二の加速度情報に基づき、第二の酔い状態指標を取得する、
請求項８に記載の酔い状態判定システム。
【請求項１０】
前記第二指標取得部が、前記第一の加速度情報と前記第二の加速度情報との差を、前記第二の酔い状態指標として取得する、請求項９に記載の酔い状態判定システム。
【請求項１１】
前記酔い状態判定部の判定結果に基づき、前記対象の頭部に電流を与える酔い状態制御部をさらに含む、請求項８に記載の酔い状態判定システム。
【請求項１２】
前記周囲環境情報が、前記対象が嗅覚によって知覚する匂いに関する匂い情報であり、且つ、
前記第二指標取得部が、前記匂い情報に基づき、第二の酔い状態指標を取得する、
請求項１に記載の酔い状態判定システム。
【請求項１３】
前記第二指標取得部が、所定の種類の匂いの強さを、前記第二の酔い状態指標として取得する、請求項１２に記載の酔い状態判定システム。
【請求項１４】
前記酔い状態判定部の判定結果に基づき、前記対象に匂いを提示する又は前記対象周囲の匂いを除去する酔い状態制御部をさらに含む、請求項１２に記載の酔い状態判定システム。
【請求項１５】
前記酔い状態判定部の判定結果を出力する出力部をさらに含む、請求項１に記載の酔い状態判定システム。
【請求項１６】
対象の生体情報を取得する生体情報取得部を備えており、且つ、
前記対象の酔い状態を判定するために、前記対象の動きに関する動き情報及び／又は前記対象が知覚する周囲環境情報に基づき酔い状態指標を取得する指標取得装置と組み合わせて用いられる、
生体情報取得装置。
【請求項１７】
対象が知覚する周囲環境情報を取得する周囲環境情報取得部を備えており、且つ、
前記対象の酔い状態を判定するために、前記対象の生体情報を酔い状態指標として取得する生体情報取得装置と組み合わせて用いられる、
周囲環境情報取得装置。
【請求項１８】
対象の生体情報を第一の酔い状態指標として取得する第一指標取得部と、
前記対象の動きに関する動き情報及び／又は前記対象が知覚する周囲環境情報に基づき、第二の酔い状態指標を取得する第二指標取得部と、
前記第一の酔い状態指標と前記第二の酔い状態指標とに基づき、前記対象が酔い状態になるか又はなっているかを判定する酔い状態判定部と
を含む酔い状態判定装置。
【請求項１９】
対象の生体情報を第一の酔い状態指標として取得する第一指標取得工程と、
前記対象の動きに関する動き情報及び／又は前記対象が知覚する周囲環境情報に基づき、第二の酔い状態指標を取得する第二指標取得工程と、
前記第一の酔い状態指標と前記第二の酔い状態指標とに基づき、前記対象が酔い状態になるか又はなっているかを判定する酔い状態判定工程と
を含む酔い状態判定方法。
【発明の詳細な説明】
【技術分野】
【０００１】
本技術は、酔い状態判定システム、生体情報取得装置、周囲環境情報取得装置、及び酔い状態判定方法に関する。より詳細には、本技術は、２つの酔い状態指標に基づき対象の酔い状態を判定する酔い状態判定システム、当該システムを構成する生体情報取得装置、周囲環境情報取得装置、及び酔い状態判定装置、並びに、２つの酔い状態指標に基づき対象の酔い状態を判定する酔い状態判定方法に関する。
【背景技術】
【０００２】
日常生活において、自動車、バス、船、及び飛行機などの乗り物における乗り物酔いに悩まされている人は多く、その対策のニーズは高い。また近年では、急速に普及され始めてきたＶＲ（Virtual Reality）ゲームの継続プレイ時の酔いも学会やＩＴＵ(International telecommunication Union：国際電気通信連合)で取り上げられて議論されるほど大きな課題になってきている。
【０００３】
乗り物酔いの対策として、抗ヒスタミンを主成分とする薬が一般的に市販されている。当該薬は、１回の服用による効果の継続時間が長くなる又は水なしでも飲めるようになるなど、その機能性は向上されてきている。
【０００４】
薬だけでなく、デバイスの観点からも対策がいくつか提案されている。例えば、下記特許文献１には、乗員の車酔いの発生を抑制することを目的とする車両用乗員姿勢制御装置が開示されている。当該装置は、車両の周辺情報及び車両の状態の各々を検出する複数の検出部と、乗員の身体を支える支持部の支持状態を変更する変更部と、前記検出部の検出結果に基づいて、走行計画を生成し、生成した前記走行計画に従って車両の運転を制御し、かつ生成した前記走行計画に基づいて現時点から予め定めた時間経過後に車両に発生する車両前後方向及び車幅方向の加速度を予測して、予測した加速度に合わせて前記支持状態を変更開始して、予め定めた時間経過後までに予測した加速度に合わせた前記支持状態になるように前記変更部を制御する運転制御部とを備えている。
【０００５】
また、下記特許文献２には、手首の正中神経に低周波を伝達するようにして、乗り物酔い、つわり、又は薬物などによる悪心及び嘔吐を効果的に遮断できるようにする低周波発生機能を有するウェアラブル装置が開示されている。当該装置は、手首に備えられ、低周波を発生させる低周波発生部が内蔵される本体を含む。
【０００６】
ＶＲ酔いの対策としては、例えばゲーム映像中の加速度エフェクトを可視化する、映像内での視界領域を敢えて狭める、及びユーザの視線方向を映像内に明示するなど、映像エフェクトによる対策が考えられている。
【先行技術文献】
【特許文献】
【０００７】
【特許文献１】特開２０１７−７１３７０号公報
【特許文献２】特開２０１８−５１１４５３号公報
【発明の概要】
【発明が解決しようとする課題】
【０００８】
しかしながら、乗り物酔い対策として薬を用いた場合、ユーザの体質又はユーザの日々の体調によって酔いの抑制効果が異なることがあり、又は、例えば眠気及び倦怠感などの副作用が生じることもある。当該薬は、効果を期待する３０分から１時間前に服用する必要があり、即時性がない。さらに、子供には薬をあまり飲ませたくないという声も多いのが実情である。
【０００９】
また、上記特許文献１及び２に開示された手法は、ユーザ個々に応じた酔い状態の発生又はその予兆を検知するものでなく、効果的に酔いを抑制することができない。
【００１０】
また、ＶＲ酔い対策のための映像エフェクトは、まずゲーム開発者の感覚で作成され、そして、限られた人数のテストユーザのプレイアンケートを基に、作成された映像エフェクトが最終調整される。そのため、ユーザごとに酔いの抑制効果が異なりうる。さらには、今後のＶＲのさらなる普及を見据えた場合、さらに多様なユーザがＶＲゲームをプレイすることが想定されるため、効果がさらに期待できなくなることが容易に見込まれる。
【００１１】
以上のとおりであるので、個々のユーザの酔い状態を的確に判定することが求められている。また、酔い状態を効果的に予防又は抑制することも求められている。さらに、酔い状態に対して、リアルタイムで酔い状態に対処できることが望ましく、さらには、酔い状態への対処方法は、副作用がなく且つ即時性が高いことが望ましい。
【００１２】
本技術は、上記課題の少なくとも一つを解決する新たな技法を提供することを目的とする。
【課題を解決するための手段】
【００１３】
本発明者らは、特定の構成を有する酔い状態判定システムによって上記課題を解決できることを見出した。
【００１４】
すなわち、本技術は、対象の生体情報を第一の酔い状態指標として取得する第一指標取得部と、前記対象の動きに関する動き情報及び／又は前記対象が知覚する周囲環境情報に基づき、第二の酔い状態指標を取得する第二指標取得部と、前記第一の酔い状態指標と前記第二の酔い状態指標とに基づき、前記対象が酔い状態になるか又はなっているかを判定する酔い状態判定部とを含む酔い状態判定システムを提供する。
前記酔い状態判定システムは、前記酔い状態判定部の判定結果に基づき、前記対象の酔い状態を制御する酔い状態制御部をさらに含みうる。
前記酔い状態制御部は、データベースから取得した情報に基づき、酔い状態を制御するための処置内容を決定しうる。
前記酔い状態判定システムは、リアルタイムで前記対象の酔い状態を判定しうる。
前記第一の酔い状態指標及び前記第二の酔い状態指標の両方が各指標について設定された基準を満たす場合に、前記酔い状態判定部が、前記対象が酔い状態になる又はなっていると判定しうる。
前記生体情報は、前記対象に由来する酵素に関する情報を含みうる。
前記酵素がアミラーゼであってよい。
本技術の一つの実施態様に従い、前記動き情報が、前記対象の体の動きに関する動き情報であり、前記周囲環境情報が、前記対象が視覚によって知覚する映像に関する映像情報であり、且つ、前記第二指標取得部が、前記動き情報及び前記映像情報に基づき、第二の酔い状態指標を取得しうる。
当該実施態様において、前記動き情報が、前記対象の体の動きに基づく第一の加速度情報であり、前記周囲環境情報が、前記対象が視覚によって知覚する映像に基づく第二の加速度情報であり、且つ、前記第二指標取得部が、前記第一の加速度情報及び前記第二の加速度情報に基づき、第二の酔い状態指標を取得しうる。
当該実施態様において、前記第二指標取得部が、前記第一の加速度情報と前記第二の加速度情報との差を、前記第二の酔い状態指標として取得しうる。
当該実施態様において、前記酔い状態判定部の判定結果に基づき、前記対象の頭部に電流を与える酔い状態制御部をさらに含みうる。
本技術の他の実施態様に従い、前記周囲環境情報が、前記対象が嗅覚によって知覚する匂いに関する匂い情報であり、且つ、前記第二指標取得部が、前記匂い情報に基づき、第二の酔い状態指標を取得しうる。
当該実施態様において、前記第二指標取得部が、所定の種類の匂いの強さを、前記第二の酔い状態指標として取得しうる。
当該実施態様において、前記酔い状態判定部の判定結果に基づき、前記対象に匂いを提示する又は前記対象周囲の匂いを除去する酔い状態制御部をさらに含みうる。
本技術に従う酔い状態判定システムは、前記酔い状態判定部の判定結果を出力する出力部をさらに含んでもよい。
【００１５】
また、本技術は、対象の生体情報を取得する生体情報取得部を備えており、且つ、前記対象の酔い状態を判定するために、前記対象の動きに関する動き情報及び／又は前記対象が知覚する周囲環境情報に基づき酔い状態指標を取得する指標取得装置と組み合わせて用いられる生体情報取得装置も提供する。
【００１６】
また、本技術は、対象が知覚する周囲環境情報を取得する周囲環境情報取得部を備えており、且つ、前記対象の酔い状態を判定するために、前記対象の生体情報を酔い状態指標として取得する生体情報取得装置と組み合わせて用いられる周囲環境情報取得装置も提供する。
【００１７】
また、本技術は、対象の生体情報を第一の酔い状態指標として取得する第一指標取得部と、前記対象の動きに関する動き情報及び／又は前記対象が知覚する周囲環境情報に基づき、第二の酔い状態指標を取得する第二指標取得部と、前記第一の酔い状態指標と前記第二の酔い状態指標とに基づき、前記対象が酔い状態になるか又はなっているかを判定する酔い状態判定部とを含む酔い状態判定装置も提供する。
【００１８】
また、本技術は、対象の生体情報を第一の酔い状態指標として取得する第一指標取得工程と、前記対象の動きに関する動き情報及び／又は前記対象が知覚する周囲環境情報に基づき、第二の酔い状態指標を取得する第二指標取得工程と、前記第一の酔い状態指標と前記第二の酔い状態指標とに基づき、前記対象が酔い状態になるか又はなっているかを判定する酔い状態判定工程とを含む酔い状態判定方法も提供する。
【図面の簡単な説明】
【００１９】
【図１】酔いの原理を説明するための図である。
【図２】前庭情報と視覚情報の不整合を説明するための模式図である。
【図３】本技術の第一の実施形態に従う酔い状態判定システムの一例のブロック図である。
【図４Ａ】酵素センサの一例の模式図である。
【図４Ｂ】酵素センサの一例のブロック図である。
【図４Ｃ】酵素センサの構成例を示す図である。
【図５】第１の実施形態の第１の例の酔い状態判定システムのブロック図である。
【図６】第１の実施形態の第１の例の酔い状態判定システムの構成例を示す図である。
【図７】第１の実施形態の第１の例の酔い状態判定システムによる酔い状態判定処理のフロー図の一例である。
【図８】アミラーゼ活性度の変動の例を示す図である。
【図９】第１の実施形態の第１の例の酔い状態判定システムの他の構成例を示す図である。
【図１０】クラウドデータベースを説明するための図である。
【図１１】印加される電流の例を示す図である。
【図１２】第１の実施形態の第２の例の酔い状態判定システムのブロック図である。
【図１３】第１の実施形態の第２の例の酔い状態判定システムの構成例を示す図である。
【図１４】第１の実施形態の第２の例の酔い状態判定システムによる酔い状態判定処理のフロー図の一例である。
【図１５】第１の実施形態の第３の例の酔い状態判定システムのブロック図である。
【図１６】第１の実施形態の第３の例の酔い状態判定システムの構成例を示す図である。
【図１７】第１の実施形態の第３の例の酔い状態判定システムによる酔い状態判定処理のフロー図の一例である。
【図１８】第１の実施形態の第４の例の酔い状態判定システムのブロック図である。
【図１９】第１の実施形態の第４の例の酔い状態判定システムの構成例を示す図である。
【図２０】第１の実施形態の第４の例の酔い状態判定システムによる酔い状態判定処理のフロー図の一例である。
【図２１】第１の実施形態の第５の例の酔い状態判定システムのブロック図である。
【図２２】第１の実施形態の第５の例の酔い状態判定システムの構成例を示す図である。
【図２３】第１の実施形態の第５の例の酔い状態判定システムによる酔い状態判定処理のフロー図の一例である。
【図２４】第１の実施形態の第６の例の酔い状態判定システムのブロック図である。
【図２５】第１の実施形態の第６の例の酔い状態判定システムの構成例を示す図である。
【図２６】第１の実施形態の第６の例の酔い状態判定システムによる酔い状態判定処理のフロー図の一例である。
【図２７】本技術に従う酔い状態判定方法のフロー図の一例である。
【図２８】本技術に従う酔い状態判定装置のハードウェア構成例を示す図である。
【発明を実施するための形態】
【００２０】
以下、本技術を実施するための好適な形態について説明する。なお、以下に説明する実施形態は、本技術の代表的な実施形態を示したものであり、本技術の範囲がこれらの実施形態のみに限定されることはない。なお、本技術の説明は以下の順序で行う。
１．第１の実施形態（酔い状態判定システム）
（１）第１の実施形態の説明
（２）第１の実施形態の第１の例（アミラーゼ活性及び加速度に基づく判定の例）
（３）第１の実施形態の第２の例（ＶＲ機器への適用例）
（４）第１の実施形態の第３の例（ＶＲゲーム開発への適用例）
（５）第１の実施形態の第４の例（アミューズメントパークのアトラクションへの適用例）
（６）第１の実施形態の第５の例（訓練用シミュレータへの適用例）
（７）第１の実施形態の第６の例（アミラーゼ活性及び匂いに基づく判定の例）
２．第２の実施形態（生体情報取得装置）
３．第３の実施形態（周囲環境情報取得装置）
４．第４の実施形態（酔い状態判定装置）
５．第５の実施形態（酔い状態判定方法）
【００２１】
１．第１の実施形態（酔い状態判定システム）
【００２２】
（１）第１の実施形態の説明
【００２３】
本技術の酔い状態判定システムにおいて、対象の生体情報である第一の酔い状態指標と、当該対象の動きに関する動き情報及び／又は前記対象が知覚する周囲環境情報に基づき取得される第二の酔い状態指標とに基づき、当該対象が酔い状態になるか又はなっているかが判定される。当該２つの指標に基づき対象の酔い状態を判定することで、対象の酔い状態を適切に判定することができる。さらに、本技術の酔い状態判定システムは、対象の酔い状態を適切に判定することができるので、酔い状態を適切に予防又は抑制することも可能となる。
【００２４】
以下で、まず酔いの原理を説明し、次に、本技術に従う第一の実施形態の詳細を説明する。
【００２５】
（１−１）酔いの原理
【００２６】
図１は、酔いの原理を説明するための図である。図１に示されるとおり、内耳には前庭器官がある。当該前庭器官は、人体にとっての加速度検出器官であり、直線運動及び回転加速度を感知することができる。前庭器官は三半規管及び耳石器を含み、三半規管によって三次元的なあらゆる方向への運動（回転加速度）が感知され、耳石器によって直進方向への運動（直線加速度）及び重力が感知される。また、図１に示されるとおり、ヒトは視覚によって例えば外界風景などの視覚情報を取得する。
【００２７】
前庭器官によって感知された情報と視覚によって知覚された視覚情報とは、例えば乗り物に乗って移動している場合及びＶＲ機器により映像を見ている場合に整合しないことがある。前庭情報と視覚情報の不整合を説明するための模式図を図２に示す。図２に示されるとおり、当該不整合は、例えば前庭器官により感知された加速度が、視覚により知覚された視覚情報に基づく加速度よりも多い場合に生じうる。この逆の不整合も生じうる。また、前庭器官により加速度が感知されるが、視覚では加速度が認識されない場合もあり、さらには視覚では加速度が認識されるが、前庭器官では加速度が感知されない場合もある。
【００２８】
前庭情報と視覚情報との不整合が酔い状態を引き起こしうる。これら情報の不整合は、大脳辺縁系の偏桃体に知らされ、これら情報について快又は不快であるかが判断される。これら情報が不快情報であると判断された場合、酔い状態が生じうる。例えば、当該不快情報によって、視床下部を介して交感神経系が刺激され、ストレスホルモンが体内に分泌される。当該ストレスホルモンによって、酔い状態を示す人体の反応が起こりうる。当該人体の反応として、例えば顔面が蒼白になること、冷や汗をかくこと、及び生唾が出ることが挙げられる。さらに酔い状態がひどくなると、嘔吐又は血圧の大きな上下変動が起こりうる。このように、酔い状態になる又はなっている場合において、種々の生体反応が起こる。
【００２９】
また、前記情報の不整合以外にも、例えば匂い、温度、及び湿度などのヒトの周囲の環境要因も酔い状態が引き起こしうる。例えば、例えば自動車内の匂いによって、酔いが引き起こされることがある。
【００３０】
（１−２）第一の実施形態の詳細
【００３１】
本技術の第一の実施形態に従う酔い状態判定システムの一例の概略的なブロック図を図３に示す。図３に示される酔い状態判定システム１は、酔い状態判定装置１０、生体情報取得装置２０、及び周囲環境情報取得装置３０から構成されている。以下これら装置のそれぞれについて説明する。
【００３２】
酔い状態判定装置１０は、制御部１１を含む。制御部１１は、第一指標取得部１２、第二指標取得部１３、及び酔い状態判定部１４を含む。酔い状態判定装置１０は、酔い状態制御部１５をさらに含んでよく、又は、含まなくてもよい。酔い状態判定装置１０は、さらにモーションセンサ１６を含んでよく、又は、含まなくてもよい。
【００３３】
制御部１１は、例えば本明細書内以下で説明する酔い状態判定処理を酔い状態判定装置１０に実行させるためのプログラムとＯＳとが格納されたハードディスク、ＣＰＵ又はＭＰＵ、及びメモリにより構成されてよい。例えば汎用のコンピュータにおいて制御部１１の機能が実現されうる。前記プログラムは、例えばｍｉｃｒｏＳＤメモリカード、ＳＤメモリカード、又はフラッシュメモリなどの記録媒体に記録されていてもよい。当該記録媒体に記録された前記プログラムを、酔い状態判定装置１０に備えられているドライブが読み出し、そして、制御部１１が、当該読み出されたプログラムに従い、酔い状態判定装置１０に本技術に従う酔い状態判定処理を実行させてもよい。
【００３４】
第一指標取得部１２は、生体情報を第一の酔い状態指標として取得する。上記のとおり、ヒトが酔い状態になる場合又はなっている場合において種々の生体反応が起こる。これら生体反応に関する情報が当該第一の酔い状態指標として取得されうる。
当該生体情報は、以下で説明する生体情報取得装置２０によって取得されたものであってよく、酔い状態判定装置１０は当該生体情報を生体情報取得装置２０から受信しうる。
【００３５】
第二指標取得部１３は、対象の動きに関する動き情報及び／又は前記対象が知覚する周囲環境情報に基づき、第二の酔い状態指標を取得する。
【００３６】
モーションセンサ１６は、前記動き情報を取得する。モーションセンサ１６として、例えば加速度センサ及び／又はジャイロセンサが用いられてよく、より好ましくは加速度センサが用いられる。当該加速度センサは、好ましくは三軸加速度センサであり、これにより前庭器官により感知される加速度と同様の加速度を検出することができる。モーションセンサ１６は、酔い状態判定装置１０又は周囲環境情報取得装置３０の一部として構成されてよく、好ましくは酔い状態判定装置１０の一部として構成されうる。酔い状態判定装置１０は、当該動き情報を、当該モーションセンサから受信しうる。
【００３７】
図３において、酔い状態判定装置１０がモーションセンサ１６を含む態様が示されている。モーションセンサ１６は、酔い状態判定装置１０とは別の装置として構成されていてもよい。
また、第二の酔い状態指標を取得するために、前記周囲環境情報が用いられるが、前記動き情報が用いられない場合は、酔い状態判定システム１はモーションセンサ１６を含まなくてもよい。例えば、匂い情報のみに基づき第二の酔い状態指標が取得される場合に、モーションセンサは酔い状態判定システム１に含まれていなくてもよい。
【００３８】
前記周囲環境情報は、前記対象の周囲の環境に関する情報であり、例えば前記対象が視覚及び／又は嗅覚により知覚する周囲環境の情報であってよい。
視覚により知覚される周囲環境情報は、例えば対象が視認する映像情報（「映像データ」ともいう）でありうる。当該映像情報は、外界風景の映像であってよく又はディスプレイ（特にはヘッドマウントディスプレイ）から対象に提示される映像であってよい。外界風景の映像は、例えばイメージセンサにより取得されうる。イメージセンサは例えばＣＭＯＳ又はＣＣＤでありうる。
嗅覚により知覚される周囲環境情報は、例えば匂いでありうる。当該匂いは、例えば匂いセンサにより取得されうる。匂いセンサは、例えばコンダクトメトリックタイプの匂いセンサ（ケモレジスタ）、キャパシティブタイプの匂いセンサ（ケモキャパシタ）、ポテンショメトリックタイプの匂いセンサ（ケモダイオード又はケモトランジスタなど）、カロリメトリックタイプの匂いセンサ（サーモケモセンサ）、グラビメトリックタイプの匂いセンサ、オプティカルタイプの匂いセンサ、及び電気化学タイプの匂いセンサを挙げることができ、これらの匂いセンサのうちのいずれかが用いられうる。
【００３９】
前記周囲環境情報が外界風景の映像である場合、イメージセンサを含む周囲環境情報取得装置３０により外界風景の映像情報が取得され、周囲環境情報取得装置３０が、酔い状態判定装置１０に外界風景の映像情報を送信しうる。
前記周囲環境情報がディスプレイから対象に提示される映像である場合、イメージセンサを含む周囲環境情報取得装置３０により、当該ディスプレイにより提示される映像情報が取得されてよく、又は、周囲環境情報取得装置３０が、例えば当該ディスプレイから又は当該ディスプレイを制御する映像処理装置などから映像情報を取得してもよい。周囲環境情報取得装置３０は、当該映像情報を酔い状態判定装置１０に送信しうる。
前記周囲環境情報が匂い情報である場合、匂いセンサを含む周囲環境情報取得装置３０により匂い情報が取得されうる。周囲環境情報取得装置３０は、酔い状態判定装置１０に当該匂い情報を送信しうる。
【００４０】
上記で述べたとおり、酔い状態は、前庭情報と視覚情報との不整合により誘発されうる。本技術の一つの実施態様に従い、当該第二指標取得部は、前記動き情報及び前記周囲環境情報に基づき、例えば当該不整合に関する情報を第二の酔い状態指標として取得しうる。この実施態様において、当該不整合に関する情報に加えて、匂い情報が第二の酔い状態指標として取得されてもよい。
また、酔い状態は、例えば匂いによっても誘発されうる。本技術の他の実施態様に従い、当該第二指標取得部は、前記周囲環境情報に基づき、例えば当該匂いに関する情報を第二の酔い状態指標として取得しうる。
【００４１】
酔い状態判定部１４は、前記第一の酔い状態指標と前記第二の酔い状態指標とに基づき、前記対象が酔い状態になるか又はなっているかを判定する。これら２つの指標に基づき対象の酔い状態に関する判定を行うことによって、個々の対象の酔い状態をより的確に判定することができるという効果が奏される。当該効果を以下でより具体的に説明する。
酔い状態において、上記で述べたとおり、発汗及び顔面蒼白などの生体反応が起こり得る。しかしながら、当該生体反応は必ずしも酔いの兆候を示すものでない。本技術の酔い状態判定システムでは、前記第一指標取得部によって生体情報が取得されることに加え、前記第二指標取得部が、前記動き情報及び／又は前記周囲環境情報に基づき第二の酔い状態指標を取得する。前記第一の酔い状態指標に加えて、前記第二の酔い状態指標に基づき酔い状態が判定されることで、個々の対象のより的確な酔い状態の判定を行うことができる。
また、酔い状態は、上記で述べたとおり、前庭情報と視覚情報との不整合により誘発されうる。しかしながら、当該不整合が起こっていたとしても、例えば対象の体質又は体調によっては酔い状態にならない場合もある。本技術の酔い状態判定システムでは、前記第二指標取得部によって例えば前庭情報と視覚情報との不整合が検出されることに加え、前記第一指標取得部が、生体情報を第一の酔い状態指標を取得する。前記第二の酔い状態指標に加えて、前記第一の酔い状態指標に基づく酔い状態が判定されることで、個々の対象のより的確な酔い状態の判定を行うことができる。
以上のとおり、酔い状態判定部１４は、前記第一の酔い状態指標及び前記第二の酔い状態指標の両方が各指標について設定された基準を満たす場合に、前記酔い状態判定部が、前記対象が酔い状態になる又はなっていると判定しうる。
【００４２】
本技術に従う酔い状態判定システムは、以上で述べたとおり、個々の対象の的確な酔い状態の判定を行うことができる。そのため、当該判定結果は、以下で述べるとおり、個々の対象に応じて、酔い状態へより適切に対処することを可能とする。
酔い状態は、上記で述べたとおり、前庭情報と視覚情報との不整合により誘発されうる。本技術の酔い状態判定システムでは、前記第二指標取得部によって、例えば前庭情報と視覚情報との不整合が検出されうる。そのため、当該不整合を是正するような刺激を対象に与えることが可能となる。
また、上記で述べたとおり、当該不整合が起こっていたとしても、例えば対象の体質又は体調によっては酔い状態にならない場合もある。本技術の酔い状態判定システムでは、前記第一指標取得部によって、生体情報が第一の酔い状態指標として取得される。当該生体情報に基づき、対象が酔い状態になっていないと判定された場合には、当該不整合を是正するような刺激を対象に与える必要が無く、この場合において、不必要な刺激を対象に与えることを防ぐことができる。
【００４３】
上記で説明した酔い状態への適切な対処の観点から、本技術に従う酔い状態判定システムは、前記酔い状態判定部の判定結果に基づき、前記対象の酔い状態を制御する酔い状態制御部１５をさらに含みうる。当該酔い状態制御部により行われる処置内容は、前記酔い状態判定部の判定結果に基づくものであるので、上記で述べたとおり、個々の対象に応じたより適切な対処が可能となる。
【００４４】
酔い状態制御部１５は、好ましくはデータベースから取得した情報に基づき、酔い状態を制御するための処置内容を決定しうる。当該データベースは、酔い状態判定装置１０内に備えられているものであってよく、又は、酔い状態判定装置１０の外部にあってもよい。当該データベースは、例えば対象による酔い状態判定装置１０の使用情報を記録するものであってよい。当該データベースは、酔い状態制御部１５により行われる処置内容を検索する検索データベースとして利用されてよい。当該データベースには、他の対象による酔い状態判定装置１０の使用情報を記録するものであってもよい。これらの使用情報に基づき、酔い状態制御部１５により施される処置の内容を最適化することができる。そのため、より効果的に酔い状態を制御できる。さらに、酔い状態制御に伴う副作用も抑制でき又は無くすことができる。
当該使用情報は、例えば前記第一の酔い状態指標、前記第二の酔い状態指標、前記酔い状態判定部による判定結果、当該判定結果に基づき酔い状態制御部１５により施された処置内容、及び当該処置後の対象の生体情報を挙げることができるが、これらに限定されない。
当該データベースは、本システムを使用している対象の身体情報に加え、当該対象以外の種々の対象の身体情報を記録するものであってもよい。当該身体情報は、例えば性別、年齢、身長、及び体重からなる群から選ばれる１つ又は２以上の組み合わせを少なくとも含みうる。例えば、酔い状態制御部１５は、酔い状態判定装置１０を使用している対象と同様の身体情報を有する他の対象の使用情報に基づき、処置内容を最適化しうる。
特に好ましくは、当該データベースはクラウドデータベースである。当該クラウドデータベースには、前記使用情報が随時蓄積されうる。そして、蓄積されたデータベースに基づき、より適切な処置が選択されうる。
【００４５】
酔い状態制御部１５は、酔い状態を制御するための前記処置として、例えば酔い状態を予防又は抑制するための刺激を対象に与えてよく、酔い状態を誘発するための刺激を対象に与えてよく、又は酔い状態を引き起こす周囲環境の改善を行ってもよい。酔い状態制御部１５により施される処置は、例えば対象への電流の印加、対象への匂いの提示、及び対象周囲の匂い除去のうちから選ばれる１つ、２つ、又は３つを含みうる。前記電流の印可は、好ましくは前庭電気刺激（Galvanic Vestibular Stimulation、以下ＧＶＳともいう）でありうる。ＧＶＳは、数ｍＡの微弱な外部電流を前庭に印加することをいい、これにより脳に加速度を錯覚させることができる。酔い状態制御部１５により施される処置のより具体的な例は、以下（２）〜（７）において説明する。
【００４６】
酔い状態判定装置１０は、好ましくはリアルタイムで前記対象の酔い状態を判定する。例えば、以下で説明する酔い状態判定処理が連続的に又は定期的に行われてよい。これにより、酔い状態判定装置１０を利用する対象が置かれている環境の変化又は当該対象自体の変化に応じた、的確な酔い状態判定を行うことができ、さらには酔い状態を防ぐ又は予防するためのより適切な処置を行うこともできる。
【００４７】
本技術に従う酔い状態判定装置のハードウェア構成例を、以下で図２８を参照して説明する。
図２８に示される酔い状態判定装置１０００は、ＣＰＵ（中央演算処理装置）１００２及びＲＡＭ１００３を備えている。ＣＰＵ１００２及びＲＡＭ１００３は、バス１００５を介して相互に接続されており、また、酔い状態判定装置１０００の他の構成要素ともバス１００５を介して接続されている。
ＣＰＵ１００２は、酔い状態判定装置１０００の制御及び演算を行う。ＣＰＵ１００２として、任意のプロセッサを用いることができる。図３を参照して説明した酔い状態判定装置１０の制御部１１の機能は例えばＣＰＵ１００２により実現されうる。
ＲＡＭ１００３は、例えばキャッシュ・メモリ及びメイン・メモリを含み、ＣＰＵ１００２により使用されるプログラムなどを一時記憶しうる。
酔い状態判定装置１０００は、ディスク１００４、通信装置１００６、モーションセンサ１００７、及び酔い状態制御部（例えば電流印可用装置）１００８を備えていてもよい。酔い状態判定装置１０００は、必要に応じてドライブをこれらの構成要素はいずれもバス１００５に接続されうる。
ディスク１００４には、オペレーティング・システム（例えば、ＷＩＮＤＯＷＳ（登録商標）、ＵＮＩＸ（登録商標）、又はＬＩＮＵＸ（登録商標）など）、本技術に従う酔い状態判定方法を実現するためのプログラム及び他の種々のプログラム、並びに、各種データが格納されうる。
通信装置１００６は、酔い状態判定装置１０００をネットワーク１０１０に有線又は無線で接続する。通信装置１００６は、酔い状態判定装置１０００を、ネットワーク１０１０を介して各種データ（例えばデータベース（特にはクラウドデータベース）、生体情報取得装置２０及び周囲環境情報装置３０から送信されるデータなど）を取得することができる。取得したデータは、例えばディスク１００４に格納されうる。通信装置１００６の種類は当業者により適宜選択されてよい。ディスク１００４は、例えばフラッシュメモリなどの半導体記録媒体でよく、これに限定されない。
モーションセンサ１００７は、第二の酔い状態指標を取得するために用いられる前記動き情報を取得しうる。
前記ドライブは、記録媒体に記録されている情報を読み出して、ＲＡＭ１００３に出力することができる。記録媒体は、例えば、ｍｉｃｒｏＳＤメモリカード、ＳＤメモリカード、又はフラッシュメモリであるが、これらに限定されない。
【００４８】
生体情報取得装置２０は、好ましくは対象が酔い状態になる又はなっている場合に現れる又は変動する生体情報を取得しうる。当該生体情報は、例えば前記対象に由来する酵素に関する情報（例えば酵素量及び酵素活性度など）、呼吸情報（例えば呼吸数、吸う時間、及び吐く時間など）、顔色情報（例えば顔面の蒼白の程度など）、唾液量情報、発汗情報（例えば冷や汗、発汗量、及び発汗の有無など）、血圧情報（例えば最高血圧及び最低血圧など）、及び心拍情報（例えば心拍数など）からなる群から選ばれる１つ又は２つ以上の組み合わせであってよい。
【００４９】
本技術の好ましい実施態様に従い、生体情報取得装置２０により取得される生体情報は、対象に由来する酵素に関する情報を含み、より好ましくは対象に由来する酵素の活性及び／又は量に関する情報を含む。より好ましくは、前記酵素はアミラーゼでありうる。例えば、当該生体情報は対象の唾液中のアミラーゼ活性及び／又はアミラーゼ量でありうる。
【００５０】
唾液中のアミラーゼ活性及びアミラーゼ量は、酔い状態判定システムを構成する装置のコンパクト化のために好ましく、さらには、的確な酔い状態判定のためにも好ましい。例えば、顔面蒼白を検出するためには、検出装置と顔との間に顔を判別できる距離を設ける必要がある。そのため、顔面蒼白を検出するため装置のコンパクト化が難しく、さらには、ウェアラブルな装置とすることも困難である。また、冷や汗に関しては、環境発汗との区別が困難である。また、汗成分の解析によって冷や汗であると判定するためには、大量の汗が必要となるため、冷や汗を検出するための装置はコンパクト化が難しく、さらには、ウェアラブルな装置とすることも困難である。一方で、生唾（唾液）に関しては、少量の唾液中のアミラーゼの活性変動によって、快又は不快を判定可能なことが医学的研究から示されている（例えば、中野及び山口、バイオフィードバック研究、２０１１年３８巻第１号）。また、本発明者により、唾液中のアミラーゼ活性について、口腔内でのリアルタイムモニタリング方法が提案されている（国際公開第ＷＯ２０１６／０４２９０８号及び国際公開第ＷＯ２０１８／０６６２２７号）。当該リアルタイムモニタリング方法において用いられる装置は、コンパクトであり且つアミラーゼ活性を的確に測定できる。
【００５１】
生体情報取得装置２０は、好ましくは酵素センサを含み、より好ましくはアミラーゼセンサを含みうる。上記酵素に関する情報は、好ましくは酵素センサ、より好ましくは酵素の量及び／又は活性の測定装置により取得されうる。当該酵素センサとして、例えば上記で言及した国際公開第ＷＯ２０１８／０６６２２７号において記載されている酵素センサが用いられてよい。以下で、当該酵素センサを図４Ａ、図４Ｂ、及び図４Ｃを参照して説明する。図４Ａは当該酵素センサの一例の模式図である。図４Ｂは当該酵素センサの一例のブロック図である。図４Ｃは当該酵素センサの構成例を示す図である。
【００５２】
図４Ａに示されるとおり、酵素センサ（酵素の量及び／又は活性の測定装置）５０は、一対の電極５１及び５２と、一対の電極５１及び５２で挟持された電子伝達層５３と、検出対象の酵素の基質を少なくとも含む膜にて、前記検出対象の酵素以外の酵素を少なくとも１種以上内包し、電子伝達層５３と接する電子発生カプセル５４とを備えている。電子発生カプセル５４は、図４Ａに示されるとおり、電子伝達層５３の内部に保持されていてよい。さらに、酵素センサ５０は、ロジック部５７を備えていてよい。
【００５３】
一対の電極５１及び５２は、検出対象の酵素との反応によって生成された電子を検出信号として取り出す出力部として機能する。具体的には、一対の電極５１及び５２は、電極間に電圧を印加することによって、電子伝達層５３を介して、電子発生カプセル５４にて生成された電子を取り出すことができる。
【００５４】
一対の電極５１及び５２は、導電性を有する材料から形成されてよい。これら電極は、電子伝達層５３を挟持する一対の平行な平板として設けられうる。具体的には、一対の電極５１及び５２は、例えば銅（Ｃｕ）、銀（Ａｇ）、白金（Ｐｔ）、アルミニウム（Ａｌ）、タングステン（Ｗ）、及びチタン（Ｔｉ）などの金属の単体若しくは合金により形成されてよく、又は、例えばグラファイト及び無定形炭素などの炭素材料により形成されてもよい。より好ましくは、一対の電極５１及び５２は、測定装置５０が生体の体液と接触した環境下での使用により適するように、錆等の腐食が発生しにくい金属の単体若しくは合金又は炭素材料により形成されうる。
【００５５】
一対の電極５１及び５２は、一方がアノードとして機能し、他方がカソードとして機能するが、一対の電極５１及び５２の極性は、検出信号の取り出しの方向によって、適宜設定されてよい。
【００５６】
電子伝達層５３は、電子発生カプセル５４と接触し且つ一対の電極５１及び５２により挟まれている。電子伝達層５３は、電子発生カプセル５４にて生成された電子を電極５１及び５２のいずれか（すなわち、アノード）に伝達する。より具体的には、電子伝達層５３は、電子移動媒介物質を含みうる。電子移動媒介物質は、例えば電子を受容可能な電解質であってよく、該電解質によって電子が電極５１及び５２のうちのアノード側に伝達されうる。電子伝達層５３は、例えば電解質を含む溶液をゲル化することによって形成されてよく、すなわち電解質含有溶液のゲル化物でありうる。
【００５７】
電子伝達層５３に含まれる電解質は、可逆的に電子の受容及び放出を行うことが可能な公知の物質でありうる。当該電解質として、例えばフェリシアン化物イオンを含む物質が用いられてよく、例えばフェリシアン化カリウムを挙げることができる。フェリシアン化物イオン（［Ｆｅ（ＣＮ）６］３−）は、酸化還元反応によって、フェロシアン化物イオン（［Ｆｅ（ＣＮ）６］４−）に可逆的に変化することができる。すなわち、フェリシアン化物イオン（［Ｆｅ（ＣＮ）６］３−）は、フェロシアン化物イオン（［Ｆｅ（ＣＮ）６］４−）に変化することで電子を受容し、電極５１及び５２のいずれかでフェリシアン化物イオン（［Ｆｅ（ＣＮ）６］３−）に戻ることで電子を放出することができる。他の電子移動媒介物質として、例えばベンゾキノンを挙げることができる。
【００５８】
電子伝達層５３では、一対の電極５１及び５２に挟持されていない面に少なくとも１つ以上の凹構造が設けられ、当該凹構造中に電子発生カプセル５４が保持されてもよい。電子伝達層５３に当該凹構造を設けることにより、電子伝達層５３は、電子発生カプセル５４を確実に保持することができる。また、当該凹構造によって、電子伝達層５３と電子発生カプセル５４との接触面積を増加させることができる。
【００５９】
凹構造は、電子伝達層５３に複数設けられてもよく、凹構造中には、複数の電子発生カプセル５４が保持されてもよい。凹構造の数を増やすことによって、電子伝達層５３と、電子発生カプセル５４との接触面積を増加させることができる。また、凹構造中の電子発生カプセル５４の数を増やすことによって、酵素と電子発生カプセル５４との反応サイトの数を増加させることができる。電子伝達層５３に設けられる凹構造の数及び当該凹構造の内部に設けられる電子発生カプセル５４の数は、適宜設定されてよい。
【００６０】
電子発生カプセル５４は、検出対象の酵素との酵素反応によって電子を発生させる反応サイトを有し、検出対象の酵素の量に応じて、電子を発生させる。具体的には、電子発生カプセル５４は、検出対象の酵素の基質を少なくとも含む外膜５５で、検出対象以外の酵素を少なくとも１種以上含む内溶液５６を内包した構造を有する。
【００６１】
外膜５５は、検出対象の酵素の基質を含み、検出対象の酵素と、酵素センサ５０の反応サイトとして機能する。したがって、外膜５５によってその形状が規定される電子発生カプセル５４の形状は、検出対象の酵素との反応サイトである表面の面積がより大きくなるように、略球形としてもよい。
【００６２】
外膜５５は、内溶液５６が酵素センサ５０の外部に漏出しないように、内溶液５６を電子発生カプセル５４の内部に留める機能を果たす。そのため、外膜５５には、膜としての強度を高めるために、検出対象の酵素の基質以外にも、例えば脂質、タンパク質、及び炭水化物などの膜構成成分が含まれていてもよい。
【００６３】
内溶液５６に含まれる酵素は、酸化酵素を少なくとも含みうる。当該酸化酵素の基質は、外膜５５に含まれる基質の少なくとも１段階以上の酵素反応によって生成される生成物である。これにより、当該酸化酵素は、検出対象の酵素の反応によって生成された生成物を酸化することで、生成物から電子を取り出すことができる。また、内溶液５６に含まれる酵素は、検出対象の酵素と、外膜５５に含まれる基質との反応の生成物をさらに基質とする酵素を含んでもよい。このとき、内溶液５６に含まれる酸化酵素は、検出対象の酵素、および内溶液５６に含まれる酵素による複数段階の反応の最終的な生成物を基質とすることになる。
【００６４】
内溶液５６には、酵素を溶解する溶媒（例えば水など）及び酵素を安定させる機能性高分子などがさらに含まれていてもよい。例えば、内溶液５６には、生体適合性が高いＰＭＥＨ（２−メタクリロイルオキシエチルホスホリルコリンと２−エチルヘキシルメタクリレートとの共重合体）の水分散溶液がさらに含まれていてもよい。
【００６５】
具体的には、電子発生カプセル５４と、検出対象の酵素との反応は、次のように進行する。まず、検出対象の酵素と、外膜５５に含まれる基質とが反応し、基質の酵素反応生成物が生成される。続いて、生成された酵素反応生成物は、浸透圧の差によって内部からにじみ出た内溶液５６に含まれる酸化酵素によって酸化され、電子を放出する。放出された電子は、電子伝達層５３に含まれる電解質によって受容され、前述したように電極５１及び５２のいずれかから取り出される。
【００６６】
例えば、検出対象の酵素がアミラーゼである場合、電子発生カプセル５４の外膜５５は、アミラーゼの基質であるでんぷんを少なくとも含んで構成されてもよく、内溶液５６は、マルターゼ及びグルコースオキシダーゼを少なくとも含んで構成されてもよい。
【００６７】
このような場合、まず、検出対象であるアミラーゼと、外膜５５に含まれるでんぷんとが反応し、マルトースが生成される。次に、浸透圧の差によって外膜５５ににじみ出した内溶液５６に含まれるマルターゼと、マルトースとが反応することで、グルコースが生成される。続いて、内溶液５６に含まれるグルコースオキシダーゼと、グルコースとが反応することで、グルコースから電子が取り出される。また、グルコースから取り出された電子は、電子伝達層５３に含まれる例えばフェリシアン化物イオンなどの電子移動媒介物質によって受容される。例えば、フェリシアン化物イオンは、電子を受容してフェロシアン化物イオンになる。
【００６８】
また、酵素センサ５０は、少なくとも電子伝達層５３の凹構造の開口を覆うイオン交換膜をさらに備えていてもよい。イオン交換膜は、電子発生カプセル５４、電子発生カプセル５４の構成成分、又は電子伝達層５３の構成成分が酵素センサ５０から体液中に出ることを防止する。
【００６９】
電子伝達層５３に含まれる電子移動媒介物質が陰イオン（例えば、フェリシアン化物イオン）である場合、電子伝達層５３に含まれる陰イオンの漏出を防止するために、イオン交換膜は、陽イオン交換膜としてもよい。また、電子伝達層５３に含まれる電解質が陽イオンである場合、イオン交換膜は、陰イオン交換膜であってもよい。
【００７０】
酵素センサ５０は、さらにロジック部５７を備えていてよい。ロジック部５７は、例えば電圧制御部５８と、検出部５９と、アラート部６０と、出力部６１とを備えていてよい。
【００７１】
ロジック部５７は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などのハードウェアと、各構成の動作を制御するソフトウェアとの協働によって実現されうる。
【００７２】
電圧制御部５８は、検出対象の酵素の量を測定するために、酵素センサ５０の一対の電極５１及び５２の間に印加される電圧を制御する。具体的には、電圧制御部５８は、一対の電極５１及び５２の間に矩形のパルス電圧を印加するように電圧を制御する。
【００７３】
検出部５９は、酵素センサ５０の一対の電極５１及び５２の間に流れる電流を測定することで、検出対象の酵素の量を検出する。具体的には、電圧制御部５８によって電極５１及び５２の間に矩形のパルス電圧が印加された場合、電子伝達層５３の電子を受容した電解質（例えば、フェロシアン化物イオン）は、アノード側の電極に電子を放出し、電子を受容していない電解質（例えば、フェリシアン化物イオン）に戻る。このとき、放出された電子によって一対の電極５１及び５２の間に電流が流れる。
【００７４】
そのため、検出部５９は、一対の電極５１及び５２の間に流れる電流の大きさを検出することで、電子を受容した電解質（例えば、フェロシアン化物イオン）の量を検出することができる。さらに、電子を受容した電解質（例えば、フェロシアン化物イオン）の量は、検出対象の酵素と電子発生カプセル５４との反応量に依存するため、検出部５９は、一対の電極５１及び５２の間に流れる電流の大きさから、検出対象の酵素の量を算出することができる。
【００７５】
アラート部６０は、電子発生カプセル５４の外膜５５に含まれる基質の消費量を監視し、酵素センサ５０の交換のタイミングを判断する。電子発生カプセル５４の外膜５５に含まれる基質は、検出対象の酵素との反応によって消費されるため、酵素センサ５０による測定の進行に伴って減少する。そのため、酵素センサ５０による測定を続行するためには、電子発生カプセル５４の外膜５５に含まれる基質がすべて消費される前に、酵素センサ５０を交換することが求められる。具体的には、アラート部６０は、検出部５９が検出した測定電流の積算値に基づいて、酵素センサ５０の交換のタイミングを判断する。また、アラート部６０は、出力部６１を介して、表示、音声、又は信号によって、酵素センサ５０を交換するように対象に通知してもよい。
【００７６】
出力部６１は、対象または外部機器に、検出部５９によって検出された電流値に基づいた情報を出力する。例えば、出力部６１は、検出部５９によって検出された電流値に基づいて、酵素の活性度に関する情報を出力してもよい。具体的には、出力部６１は、平時の酵素の量に対応した電流値を「基準電流値」として測定しておき、以下の数式に基づいて計算を行うことで、検出された「測定電流値」から「酵素の活性度」を算出し、算出した「酵素の活性度」を出力してもよい。
酵素の活性度＝（測定電流値−基準電流値）／基準電流値
【００７７】
分泌される酵素の量は、生体ごとに固体差があるため、上述のように平時の酵素の量に対する割合の増減にて、酵素の活性度を示すことで、対象となる生体における酵素の分泌量の程度をより正確に示すことが可能である。
【００７８】
出力部６１は、検出対象の酵素の活性度ではなく、検出部５９によって検出された電流値を出力してもよい。このような場合、検出対象の酵素の活性度の算出は、出力された電流値を取得した他の装置（例えば以下で述べる酔い状態判定装置）にて行われてもよい。
【００７９】
例えば、出力部６１は、例えば有線若しくは無線ＬＡＮ（Ｌｏｃａｌ  Ａｒｅａ  Ｎｅｔｗｏｒｋ）、Ｂｌｕｅｔｏｏｔｈ（登録商標）、又はＷｉ−Ｆｉ（登録商標）などを介して、外部の表示装置又は音声出力装置に情報を出力してもよい。
【００８０】
酵素センサ５０は、例えば図４Ｃに示されるように、マウスピース６２に実装されてもよい。また、マウスピース６２には、他にも、加速度センサ、ＧＮＳＳ（Ｇｌｏｂａｌ  Ｎａｖｉｇａｔｉｏｎ  Ｓａｔｅｌｌｉｔｅ  Ｓｙｓｔｅｍ）センサ、ＲＦ（Ｒａｄｉｏ  Ｆｒｅｑｕｅｎｃｙ）モジュール、発電モジュール、および蓄電モジュールなどの各種モジュールが実装されていてもよい。なお、マウスピース６２には、酵素センサ５０と唾液とが接触可能なように、オリフィス６３が形成されうる。
【００８１】
本技術の好ましい実施態様に従い、前記動き情報が、前記対象の体の動き、特には頭部の動き、に関する動き情報であり、前記周囲環境情報が、前記対象が視覚によって知覚する映像に関する映像情報であり、且つ、前記第二指標取得部が、前記動き情報及び前記映像情報に基づき、第二の酔い状態指標を取得しうる。この実施態様において、好ましくは前記動き情報が、前記対象の体の動きに基づく第一の加速度情報であり、前記周囲環境情報が、前記対象が視覚によって知覚する映像に基づく第二の加速度情報であり、且つ、前記第二指標取得部が、前記第一の加速度情報及び前記第二の加速度情報に基づき、第二の酔い状態指標を取得しうる。より好ましくは、前記第二指標取得部が、前記第一の加速度情報と前記第二の加速度情報との差を、前記第二の酔い状態指標として取得しうる。
この実施態様について、以下（２）〜（６）において、システムの構成例及び判定処理のフローを参照しつつ、より詳細に説明する。
【００８２】
本技術の他の好ましい実施態様に従い、前記周囲環境情報が、前記対象が嗅覚によって知覚する匂いに関する匂い情報であり、且つ、前記第二指標取得部が、前記匂い情報に基づき、第二の酔い状態指標を取得しうる。この実施態様において、前記第二指標取得部が、所定の種類の匂いの強さを、前記第二の酔い状態指標として取得しうる。この実施態様において、本システムはさらに、前記酔い状態判定部の判定結果に基づき、前記対象に匂いを提示する又は前記対象周囲の匂いを除去する酔い状態制御部をさらに含みうる。
この実施態様について、以下（７）において、システムの構成例及び判定処理のフローを参照しつつ、より詳細に説明する。
【００８３】
本技術に従う酔い状態判定システムは、より好ましくは、前記酔い状態判定部の判定結果を出力する出力部をさらに含みうる。当該出力部は、例えば画像、音声、又は印刷物などの情報伝達媒体によって、当該判定結果を出力しうる。これらの媒体を介して出力することで、対象に酔い状態になる又は酔い状態になっていることを知らせることができる。
【００８４】
（２）第１の実施形態の第１の例（アミラーゼ活性及び加速度に基づく判定の例）
【００８５】
本例の酔い状態判定システムのブロック図を図５に示し、且つ、本例の酔い状態判定システムの構成例を図６に示す。また、当該システムによる酔い状態判定処理のフローの一例を図７に示す。本例において、第一指標取得部は、第一の酔い状態指標として唾液中のアミラーゼ活性を取得し、且つ、第二指標取得部は、対象の頭部の動きに関する動き情報及び当該対象が視覚によって知覚する周囲映像情報に基づき取得される加速度の差を第二の酔い状態指標として取得する。
本例では、上記のとおり、前記唾液アミラーゼ活性度と前記加速度差によって酔い状態になるか又は酔い状態になっているかを判定する。これにより的確な酔い状態の判定が可能となる。
また、酔い易さは、個々の対象で異なり、さらに、同じ対象であっても体調によっても異なりうる。そのため、本技術の酔い状態判定システムによって、リアルタイムで酔い状態判定を行うことによって、より的確な酔い状態の判定及び制御が可能となる。
【００８６】
（２−１）第１の例の酔い状態判定システムの構成の説明
【００８７】
図５に示されるとおり、本技術の酔い状態判定システム１００は、唾液中のアミラーゼ活性を測定する生体情報取得装置（アミラーゼ検出装置）１１０、当該システムを使用する対象が視覚によって認識する映像を取得する周囲環境情報取得装置（映像取得装置）１２０、及び酔い状態判定装置１３０を含む。
図６に示されるとおり、生体情報取得装置１１０は、対象の口腔内の唾液と接触可能であるように、対象の口腔内に装着される。周囲環境情報取得装置１２０は、対象の見ている映像を取得可能であるように、対象の眼付近に装着される。周囲環境情報取得装置１２０は、図６に示されるように、例えばアイウェアのような形状を有していてよい。酔い状態判定装置１３０は、対象の頭部と同じ動きをするように、対象の頭部に装着されてよく、好ましくは対象の耳付近に装着される。耳付近に装着されることで、対象の前庭器官が感知する動きにより近い動きを、酔い状態判定装置１３０内の加速度センサ１３２が検知することができる。
【００８８】
生体情報取得装置１１０は、キャリブレーション部１１１及びアミラーゼセンサ１１２を備えている。生体情報取得装置１１０は、通信部（図示せず）をさらに含み、当該通信部によって、酔い状態判定装置１３０と有線又は無線によって通信可能であるように構成されている。
【００８９】
生体情報取得装置１１０は、部分的なマウスピースとして構成されており、より具体的には奥歯部分に装着されるマウスピースとして構成されている。当該マウスピースの内側（装着時に歯若しくは歯茎に向き合う面）にアミラーゼセンサ１１２が配置されている。マウスピースにはオリフィス１１３が設けられており、オリフィス１１３によって、アミラーゼセンサ１１２は唾液と接触可能である。
【００９０】
キャリブレーション部１１１は、アミラーゼセンサ１１２によるアミラーゼ活性の測定のためのキャリブレーションを行う。例えば、キャリブレーション部１１１は、酔い状態判定システム１００による判定の開始直後に又は開始前に、基準となるアミラーゼ活性を取得するためのキャリブレーション処理をアミラーゼセンサ１１２に行わせうる。
【００９１】
アミラーゼセンサ１１２は、上記「（１−２）第一の実施形態の詳細」において説明した酵素センサである。当該説明がアミラーゼセンサ１１２に当てはまるので、アミラーゼセンサ１１２の説明は省略する。アミラーゼセンサ１１２は、好ましくはリアルタイムでモニタリングを行うものでありうる。
【００９２】
周囲環境情報取得装置１２０は、イメージセンサ１２１を備えている。周囲環境情報取得装置１２０は、通信部（図示せず）をさらに含み、当該通信部によって、酔い状態判定装置１３０と有線又は無線によって通信可能であるように構成されている。
【００９３】
周囲環境情報取得装置１２０は、アイウェアとして構成されていてよい。イメージセンサ１２１は、当該アイウェアを装着した対象が視覚によって知覚する外界風景と同様の映像を取得することができるように構成される。イメージセンサ１２１は、例えばＣＭＯＳ若しくはＣＣＤであってよく、又は、ＩＲ（赤外線）センサであってもよい。
【００９４】
酔い状態判定装置１３０は、制御部１３１、加速度センサ１３２、及び、酔い状態制御部１３３を含む。制御部１３１は、第一指標取得部１３４、第二指標取得部１３５、及び酔い状態判定部１３６を含む。
また、酔い状態判定装置１３０は通信部（図示せず）を含みうる。当該通信部によって、生体情報取得装置１１０及び周囲環境情報取得装置１２０と、有線又は無線によって、より好ましくは無線（例えばＢｌｕｅｔｏｏｔｈ（登録商標））によって、通信可能であるように構成されている。
【００９５】
第一指標取得部１３４は、アミラーゼセンサ１１２により取得されたアミラーゼ活性を第一の酔い状態指標として取得する。
【００９６】
加速度センサ１３２は、例えば三軸加速度センサでありうる。加速度センサ１３２は、対象の体の動き、特には頭部の動きを検出する。
【００９７】
第二指標取得部１３５は、周囲環境情報取得装置１２０により取得された映像情報を受信する。第二指標取得部１３５は、当該映像情報から加速度を取得する。当該加速度は、例えば三軸方向の加速度でありうる。取得される加速度の方向は、好ましくは加速度センサ１３２により検出される加速度の方向に対応するものでありうる。これにより、第二の酔い状態指標としてより適切な加速度差を取得することができる。
【００９８】
第二指標取得部１３５は、周囲環境情報取得装置１２０により取得された映像情報から取得される第一加速度と加速度センサ１３２により取得される第二加速度とに基づき、両加速度の加速度差を第二の酔い状態指標として取得する。
【００９９】
酔い状態判定部１３６は、前記第一の酔い状態指標及び第二の酔い状態指標に基づき、対象が酔い状態になるか又はなっているかを判定する。例えば、酔い状態判定部１３６は、前記第一の酔い状態指標及び前記第二の酔い状態指標とそれぞれ対比されるべき第一閾値及び第二閾値を予め有していてよい。酔い状態判定部１３６は、前記第一の酔い状態指標が前記第一閾値以上であり且つ前記第二の酔い状態指標が前記第二閾値以上である場合に、対象が酔い状態になる又は酔い状態になっていると判定しうる。また、酔い状態判定部１３６は、前記第一の酔い状態指標が前記第一閾値以上でない場合、前記第二の酔い状態指標が前記第二閾値以上でない場合、又は、前記第一の酔い状態指標及び前記第二の酔い状態指標がそれぞれ前記第一閾値以上でなく且つ前記第二閾値以上でない場合、対象が酔い状態にならない又は酔い状態になっていないと判定しうる。
【０１００】
酔い状態制御部１３３は、対象の頭部（特には内耳の前庭器官）に電流を印加できるように構成されている。例えば図６に示されるとおり、右耳付近に酔い状態制御部１３３は配置され、且つ、左耳付近にも酔い状態制御部（図示せず）が配置される。右耳付近に配置される酔い状態制御部１３３は、図６に示されるとおり、３つの電極１４４、１４５、及び１４６を有する。これら電極は例えば、こめかみ付近、耳裏（又は乳様突起）の下（例えば２ｃｍ〜１０ｃｍ下、特には４ｃｍ〜８ｃｍ下、より特には約６ｃｍ下）の首部分、及び乳様突起付近の３か所にそれぞれ配置されうる。左耳付近に配置された酔い状態制御部も、同様に３ヵ所に配置される。このように配置された電極を用いたＧＶＳによって、脳に加速度を錯覚させることができ、これにより酔い状態制御が可能となる。
【０１０１】
酔い状態判定装置１３０は、データベース１４０と有線又は無線により通信可能に接続されうる。データベース１４０は、例えばクラウドデータベースであってよい。データベース１４０には、以下（２−２）において説明する各種データが格納されうる。データベース１４０は随時更新されうる。
【０１０２】
（２−２）第１の例の酔い状態判定システムによる判定処理の例の説明
【０１０３】
図７のステップＳ１００において、酔い状態判定システム１００が、酔い状態判定処理を開始する。ステップＳ１００において、酔い状態判定装置１３０が、対象によって入力された当該処理の開始信号に応じて起動し、そして、酔い状態判定装置１３０が、生体情報取得装置１１０及び周囲環境情報取得装置１２０を起動させるための信号をこれら装置にそれぞれ送信する。これら装置は、当該信号を受信したことに応じて起動する。
【０１０４】
ステップＳ１０１において、生体情報取得装置１１０（特にはキャリブレーション部１１１）が、基準となるアミラーゼ活性を取得するためのキャリブレーション処理をアミラーゼセンサ１１２に行わせうる。当該キャリブレーション処理において、アミラーゼセンサ１１２は例えば数分間自動的にアミラーゼ活性を測定し、測定結果に基づき基準値が設定されうる
【０１０５】
ステップＳ１０２において、生体情報取得装置１１０（特にはアミラーゼセンサ１１２）がアミラーゼ活性情報を取得する。例えば、生体情報取得装置１１０は、当該アミラーゼ活性情報として、対象の唾液中のアミラーゼ活性度Ｓを測定する。当該測定は、好ましくはリアルタイムで行われうる。生体情報取得装置１１０は、取得されたアミラーゼ活性情報を、通信部を通じて酔い状態判定装置１３０に送信する。
【０１０６】
ステップＳ１０３において、酔い状態判定装置１３０は、アミラーゼ活性情報を生体情報取得装置１１０から受信する。酔い状態判定装置１３０の第一指標取得部１３４は、受信したアミラーゼ活性情報から、例えばアミラーゼ活性度Ｓの時間に対する変動率ｄＳ／ｄｔを算出する。当該変動率が、第一の酔い状態指標として酔い状態判定部１３６により用いられうる。なお、アミラーゼ活性度Ｓ自体が、第一の酔い状態指標として酔い状態判定部１３６により用いられてもよい。すなわち、ステップＳ１０３において、第一指標取得部１３４は、第一の酔い状態指標として、前記変動率又は前記アミラーゼ活性度を取得しうる。
【０１０７】
ステップＳ１０４において、制御部１３１（例えば酔い状態判定部１３６）が、前記変動率又は前記アミラーゼ活性度が閾値以上であるかを判定する。以下、ステップＳ１０４における判定に用いられる閾値を第一閾値という。当該第一閾値は、予め設定されたものであってよく、又は、随時更新されてもよい。当該第一閾値は、例えばデータベース１４０、より具体的にはクラウドデータベース中に格納されているデータに基づき設定又は更新されてよい。当該設定又は更新のために用いられるデータとして例えば、過去に計測された対象のアミラーゼ活性情報、対象について行われた過去の酔い状態判定結果、及び対象の身体情報から選ばれる１つ以上が用いられてよい。また、当該データとして、対象以外のヒトのアミラーゼ活性情報、対象以外のヒトについて行われた過去の酔い状態判定結果、及び対象以外のヒトについて身体情報が用いられてもよい。
ステップＳ１０４において、前記変動率又は前記アミラーゼ活性度が前記第一閾値以上である場合には、制御部１３１は、処理をステップＳ１０５に進める。前記変動率又は前記アミラーゼ活性度が閾値未満である場合には、制御部１３１は、処理をステップＳ１２１に進める。
【０１０８】
ステップＳ１０４における上記判定の例を、図８を参照して説明する。図８は、アミラーゼ活性度Ｓの変動の例を示すグラフである。時間ｔが経過するにつれて、ステップＳ１０１において設定された基準値Ｓ０からアミラーゼ活性度Ｓが徐々に上昇している。そして、時刻ｔ１で、アミラーゼ活性度Ｓは第一閾値Ｓ１に達する。アミラーゼ活性度がＳ１以上の領域を、電流印可領域といい、アミラーゼ活性度がこの領域内にある場合に、電流を対象に印可可能であると判定される。時刻ｔ１までは、アミラーゼ活性度Ｓは第一閾値Ｓ１未満であるので、ステップＳ１０４において、酔い状態判定部１３６は処理をステップＳ１２１に進める。
時刻ｔ１から時刻ｔ２までは、アミラーゼ活性度Ｓは第一閾値Ｓ１以上であるので、ステップＳ１０４において、酔い状態判定部１３６は処理をステップＳ１０５に進める。時間ｔ１の後に、例えば以下で述べる電流印加が行われることによって、アミラーゼ活性度Ｓが低下する。そして、時間ｔ２より後は、アミラーゼ活性度Ｓは第一閾値Ｓ１未満になる。
時間ｔ２より後においては、アミラーゼ活性度Ｓは第一閾値Ｓ１未満であるので、ステップＳ１０４において、酔い状態判定部１３６は処理をステップＳ１２１に進める。
【０１０９】
ステップＳ１０５において、処理がステップＳ１０２に戻され、再度ステップＳ１０２〜Ｓ１０４の処理が行われうる。ステップＳ１０２〜Ｓ１０５は好ましくは繰り返し行われ、より好ましくはリアルタイムで行われうる。
また、酔い状態制御部１３３が対象に電流を印可している状態でステップＳ１０２〜１０４が行われた場合は、酔い状態制御部１３３は、ステップＳ１０５において当該電流の印可を停止する。
【０１１０】
ステップＳ１１１において、周囲環境情報取得装置１２０は、外界風景の映像を取得する。当該映像は、対象が見ている外界風景の少なくとも一部を含み、例えば対象の視線方向の外界風景を少なくとも含みうる。当該映像の取得は、より具体的にはイメージセンサ１２１により行われうる。周囲環境情報取得装置１２０は、取得した映像情報を、通信部を通じて、酔い状態判定装置１３０に送信する。
【０１１１】
ステップＳ１１２において、酔い状態判定装置１３０は、映像情報を、周囲環境情報取得装置１２０から受信する。酔い状態判定装置１３０の第二指標取得部１３５は、受信した映像情報に基づき加速度を検出又は算出する。本例以下において、ステップＳ１１２において映像に基づき取得された加速度を「第一加速度」という。当該第一加速度は、対象が見ている映像に基づく加速度に相当する。当該第一加速度は、例えば対象の前後方向の加速度、左右方向の加速度、及び上下方向の加速度のうちから選ばれる１つ若しくは２つ方向における加速度であってよく、又は、これら３つの方向における加速度の全てであってもよい。
【０１１２】
ステップＳ１１３において、酔い状態判定装置１３０に含まれる加速度センサ１３２が、加速度を検出する。以下、ステップＳ１１３において加速度センサにより検出された加速度を「第二加速度」という。当該第二加速度は、対象の前庭器官によって感知される加速度に相当する。加速度センサ１３２は、検出した第二加速度を、第二指標取得部１３５に送信する。
【０１１３】
ステップＳ１１４において、第二指標取得部１３５が、加速度センサ１３２により検出された第二加速度を取得する。当該第二加速度は、例えば対象の前後方向の加速度、左右方向の加速度、及び上下方向の加速度のうちから選ばれる１つ若しくは２つの加速度であってよく、又は、これら３つの加速度の全てであってもよい。好ましくは、当該第二加速度の方向は、ステップＳ１１２において取得された第一加速度の方向に対応するものでありうる。
【０１１４】
ステップＳ１１５において、第二指標取得部１３５は、ステップＳ１１２において取得された第一加速度とステップＳ１１３において取得された第二加速度との間の差を求める。好ましくは、同じ方向の加速度間の差を求める。第二指標取得部１３５は、当該差を第二の酔い状態指標として取得する。
【０１１５】
ステップＳ１１６において、酔い状態判定部１３６が、ステップＳ１１５において求められた差が閾値以上であるかを判定する。以下、ステップＳ１１６における判定に用いられる閾値を第二閾値という。当該第二閾値は、予め設定されたものであってよく、又は、随時更新されてもよい。当該第二閾値は、例えばデータベース１４０、より具体的にはクラウドデータベース中に格納されているデータに基づき設定又は更新されてよい。当該設定又は更新のために用いられるデータとして例えば、過去に取得された第一加速度及び第二加速度の間の差、対象について行われた過去の酔い状態判定結果、及び対象の身体情報から選ばれる１つ以上が用いられてよい。また、当該データとして、対象以外のヒトについて過去に取得された第一加速度及び第二加速度の間の差、対象以外のヒトについて行われた過去の酔い状態判定結果、及び対象以外のヒトについて身体情報が用いられてもよい。
ステップＳ１１６において、前記第一加速度と第二加速度との間の差が前記第二閾値以上である場合には、酔い状態判定部１３６は、処理をステップＳ１２１に進める。当該差が当該第二閾値未満である場合には、処理はステップＳ１１１及びＳ１１３へ戻され、再度ステップＳ１１１及びＳ１１３の処理が行われうる。
【０１１６】
ステップＳ１２１において、酔い状態判定部１３６は、前記変動率又は前記アミラーゼ活性度が前記第一閾値以上であり且つ前記第一加速度と第二加速度との間の前記差が前記第二閾値以上であるかを判定する。
前記変動率又は前記アミラーゼ活性度が前記第一閾値以上であり且つ前記第一加速度と第二加速度との間の前記差が前記第二閾値以上である場合には、酔い状態判定部１３６は、対象が酔い状態になる又は酔い状態になっていると判定し、処理をステップＳ１２２に進める。
前記アミラーゼ活性度又は前記変動率が前記第一閾値以上であり且つ前記第一加速度と第二加速度との間の前記差が前記第二閾値以上であるという条件を満たさない場合には、酔い状態判定部１３６は、対象が酔い状態にならない又は酔い状態になっていないと判定し、処理がステップＳ１０２、Ｓ１１１、及びＳ１１３に戻される。
【０１１７】
ステップＳ１２２において、制御部１３１は、例えば電流が流される電極の選択及び／又は電流の大きさの選択を行いうる。
電流が印加される電極は、例えば前記第一加速度と前記第二加速度との差に基づき選択されうる。前記第一加速度と前記第二加速度との差がある方向（例えば対象の上下方向、左右方向、又は前後方向）に対応する電極が選択されうる。例えば、対象の上下方向において加速度差がある場合は、乳様突起付近の電極及び首部分の電極が、電流が流されるべき電極として選択される。対象の左右方向において加速度差がある場合は、左右のこめかみ付近の電極が、電流が流されるべき電極として選択される。対象の前後方向において加速度差がある場合は、乳様突起付近の電極及びこめかみ付近の電極が、電流が流される電極であると選択される。好ましくは、最も差が大きい方向に対応する電極が選択される。
印加される電流の大きさは、例えばアミラーゼ活性度Ｓの変動率ｄＳ／ｄｔ又はアミラーゼ活性度Ｓに基づき選択されうる。例えば、印加される電流の大きさは、ｄＳ／ｄｔ×Ｃでありうる。Ｃは補正項であり、例えば予め設定された値であってよく、又は、データベース１４０（特にはクラウドデータベース）中のデータに基づき導出されてもよい。Ｃは、例えば印可された電流によるアミラーゼ活性度Ｓの減少の程度が小さい場合に、より大きくなるように補正されてよく、又は、当該減少の程度が大きい場合には、より小さくなるように補正されてよい。
本技術において、印加される電流の大きさは、例えば０．０１ｍＡ〜３ｍＡ、より好ましくは０．１ｍＡ〜２ｍＭ、さらにより好ましくは０．５ｍＡ〜１．５ｍＡでありうる。この数値範囲内の電流が、酔い状態の抑制又は予防のために適している。
印加される電流は、好ましくは５Ｈｚ以下であり、より好ましくは３Ｈｚ以下であり、さらにより好ましくは２Ｈｚ以下である。これにより、緩やかな電流が対象に印加され、対象が電流によってピリッとした痛みを感じることを防ぐことができる。
【０１１８】
ステップＳ１２２において、図９に示されるとおり、対象に関するデータ対象を有するデータベース（特にはクラウドデータベース）Ａ及び／又は対象以外のヒトに関するデータを有するデータベース（特にはクラウドデータベース）Ｂから、電流が印加される電極及び／又は印加される電流の大きさが検索されてもよい。データベースＡは例えば、対象の身体情報（例えば性別、年齢、身長、及び体重など）、対象についての過去の酔い状態判定結果、電流印加履歴、加速度差とアミラーゼ活性変動の関係、及び、印加された電流と当該電流によるアミラーゼ活性度の応答から選ばれる１つ以上のデータを含んでよい。データベースＢは、図１０に示されるとおり、対象以外のヒト者のそれぞれの身体情報（例えば性別、年齢、身長、及び体重など）、対象以外のヒトについての過去の酔い状態判定結果、電流印加履歴、加速度差とアミラーゼ活性変動の関係、及び、印加された電流と当該電流によるアミラーゼ活性度の応答から選ばれる１つ以上のデータを含んでよい。
例えば対象が初めて本例の酔い状態判定システムを利用する場合は、当該対象に関する酔い状態判定結果のデータは蓄積されていない。そのため、データベースＢのような、他者に関するデータが利用されうる。例えば、対象の身体情報に最も近い身体情報を有する他者のデータ又は対象の身体情報に近い身体情報を有する複数の他者のデータから、電流が印加される電極及び／又は印加される電流の大きさが選択されうる。
このようなデータベースが、データベース１４０中に格納されうる。
【０１１９】
ステップＳ１２３において、制御部１３１は、ステップＳ１２２において選択された電流の大きさが上限値を超えていないかを判定する。当該上限値は予め設定されていてよく又は対象に応じて適宜変更されてもよい。当該上限値は、例えば３ｍＡ、４ｍＡ、又は５ｍＡでありうる。
ステップＳ１２２において選択された電流の大きさが当該上限値を超えていない場合は、制御部１３１は処理をステップＳ１２４に進める。
ステップＳ１２２において選択された電流の大きさが当該上限値を超えている場合は、制御部１３１は処理をステップＳ１２５に進める。
【０１２０】
ステップＳ１２５において、制御部１３１は、エラーを発して酔い状態判定装置１３０を停止させうる。当該エラーは、例えば音声又は映像によって対象に通知されうる。また、酔い状態判定装置１３０の停止に伴い、生体情報取得装置１１０及び／又は周囲環境情報取得装置１２０も停止されてよい。
【０１２１】
ステップＳ１２４において、制御部１３１は、酔い状態制御部１３３を駆動して、対象に電流刺激を与えうる。本例において、酔い状態制御部１３３は、例えばステップＳ１２３において選択された電極に同ステップにおいて選択された大きさの電流を印加しうる。これにより対象の前庭器官に電流が印加されうる。これにより、第一加速度と第二加速度との間の差を減少又は解消することができ、酔い状態になることを防ぎ又は酔い状態を抑制することができる。電流の印加は、例えば所定時間の経過後に停止されてよく、又は、ｄＳ／ｄｔ又はＳが前記第一閾値未満になったことに応じて停止されてもよい。電流印加の停止後に、ステップＳ１０２、Ｓ１１１、及びＳ１１３の処理が再度行われうる。
代替的には、電流の印加が行われたまま、ステップＳ１０２、Ｓ１１１、及びＳ１１３の処理が再度行われてもよい。
ステップＳ１２４における電流印加後に、制御部１３１は、処理をステップＳ１２６に進める。
【０１２２】
ステップＳ１２４において印加される電流の具体例を、図８及び図１１を参照して説明する。図８は上記で説明したとおりである。図１１は、印加される電流の変化の例を示す図である。図８において時間ｔ１以降において、アミラーゼ活性度Ｓは第一閾値Ｓ１以上になる。そのため、電流が印加されうる。電流値は、図１１に示されるように、０ｍＡから上記選択された大きさの電流値Ａ１へと、徐々に大きくなりうる。これにより、対象が電流による痛みを感じることを抑制することができる。また、電流値は、ステップＳ１２３に関して言及した上限値を超えないように設定されうる。そのため、例えば図１１に示されるとおり、電流値が当該上限値に達したら、電流値の上昇は止まり、そして、電流値は当該上限値で維持されうる。その後、電流値は下がり、例えば図８における時間ｔ２においてアミラーゼ活性度Ｓが第一閾値Ｓ１未満になることに応じて、電流値は０になりうる。
【０１２３】
ステップＳ１２６において、制御部１３１は、酔い状態判定処理を終了するかを判定する。例えば処理を終了させる操作に応じた信号が検出された場合に、処理を終了すると判定する。処理を終了すると判定された場合、制御部は処理を終了する。当該信号が検出されない場合は、制御部１３１は処理をステップＳ１０２、Ｓ１１１、及びＳ１１３に戻し、再度酔い状態判定処理が繰り返されうる。このように、本技術において、酔い状態判定処理は繰り返され、より好ましくはリアルタイムで行われる。酔い易さは、個々の対象で異なり、さらに、同じ対象であっても体調によっても異なりうる。酔い状態判定処理を繰り返すことによって、より好ましくはリアルタイムで当該処理を行うことによって、より的確な酔い状態の判定及び酔い状態制御が可能となる。
【０１２４】
以上の処理によって、対象が例えば車両又は航空機に乗っている場合において、酔い状態を適切に判定することができる。本例の酔い状態判定システムは、以上のとおり酔い状態を適切に判定することができるので、例えば酔い状態になること又はなっていることを対象に通知することも可能となる。例えばこれら乗り物の乗員が読書又はテレビ鑑賞をしている場合に、上記加速度差によって酔い状態が引き起こされうる。上記通知によって当該乗員に読書又はテレビ鑑賞をやめることを促すことができる。また、本例の酔い状態判定システムは、加速度差に応じた適切な刺激（電流）を対象に付与することができるので、酔い状態になることを防ぐ又は酔い状態を抑制することもできる。
【０１２５】
（３）第１の実施形態の第２の例（ＶＲ機器への適用例）
【０１２６】
本例の酔い状態判定システムのブロック図を図１２に示し、且つ、当該システムの構成例を図１３に示す。また、当該システムによる酔い状態判定処理のフローの一例を図１４に示す。本例において、第一指標取得部は、第一の酔い状態指標として唾液中のアミラーゼ活性度を取得し、且つ、第二指標取得部は、対象の頭部の動きに関する動き情報及び当該対象が視覚によって知覚する周囲映像情報に基づき取得される加速度の差を第二の酔い状態指標として取得する。
【０１２７】
（３−１）第２の例の酔い状態判定システムの構成の説明
【０１２８】
図１２に示されるとおり、本技術の酔い状態判定システム２００は、唾液中のアミラーゼ活性度を測定する生体情報取得装置（アミラーゼ検出装置）２１０、当該システムを使用する対象が視覚によって認識する映像を取得する周囲環境情報取得装置（映像取得装置）２２０、及び酔い状態判定装置２３０を含む。
図１３に示されるとおり、生体情報取得装置２１０は、対象の口腔内の唾液と接触可能であるように、対象の口腔内に装着される。周囲環境情報取得装置２２０及び酔い状態判定装置２３０は、表示装置（例えばＶＲ視聴用装置など）２４０にその構成要素として含まれている。表示装置２４０は、情報処理装置（例えばゲーム機器など）２５０と有線又は無線で接続されている。表示装置２４０は、情報処理装置２５０から送信されたデータに基づき映像（例えばＶＲ映像など）を表示しうる。周囲環境情報取得装置２２０は、対象の見ている映像を取得可能であるように構成されている。酔い状態判定装置２３０は、対象の頭部と同じ動きをするように、対象の頭部に装着されてよく、好ましくは対象の耳付近に装着される。耳付近に装着されることで、対象の前庭器官が感知する動きにより近い動きを、酔い状態判定装置２３０内の加速度センサ２３２が検知することができる。
【０１２９】
生体情報取得装置２１０及びその構成要素は、上記（２）の「（２−１）第１の例の酔い状態判定システムの構成の説明」において説明した生体情報取得装置１１０及びその構成要素と同じであり、その説明が本例にもあてはまる。
【０１３０】
周囲環境情報取得装置２２０は、表示装置２４０によって対象に提示される映像情報を取得する。
【０１３１】
酔い状態判定装置２３０は、制御部２３１、加速度センサ２３２、及び、酔い状態制御部２３３を含む。制御部２３１は、第一指標取得部２３４、第二指標取得部２３５、及び酔い状態判定部２３６を含む。
また、酔い状態判定装置２３０は通信部（図示せず）を含み、当該通信部によって、生体情報取得装置２１０及び周囲環境情報取得装置２２０と有線又は無線によって通信可能であるように構成されている。
酔い状態判定装置２３０及びその構成要素はいずれも、上記上記（２）の「（２−１）第１の例の酔い状態判定システムの構成の説明」において説明した酔い状態判定装置１３０及びその構成要素と同じであり、その説明が本例にもあてはまる。
【０１３２】
（３−２）第２の例の酔い状態判定システムによる判定処理の例の説明
【０１３３】
図１４のステップＳ２００において、酔い状態判定システム２００が、酔い状態判定処理を開始する。ステップＳ２００において、酔い状態判定装置２３０が、対象によって入力された当該処理の開始信号に応じて起動し、そして、酔い状態判定装置２３０が、生体情報取得装置２１０及び周囲環境情報取得装置２２０を起動させるための信号をこれら装置にそれぞれ送信する。これら装置は、当該信号を受信したことに応じて起動する。
代替的には、表示装置２４０の起動に応じて、酔い状態判定システム２００を構成する装置の全てが起動されてもよい。
【０１３４】
ステップＳ２０１〜Ｓ２０５は、上記（２）の「（２−２）第１の例の酔い状態判定システムによる判定処理の例の説明」において説明したステップＳ１０１〜Ｓ１０５と同じである。当該説明が本例においても当てはまるので、ステップＳ２０１〜Ｓ２０５についての説明は省略する。
【０１３５】
ステップＳ２１１において、周囲環境情報取得装置２２０は、表示装置２４０により対象に提示される映像（例えばゲーム映像など）を取得する。当該映像は、対象に提示される映像の少なくとも一部を含み、例えば対象に提示される映像のうち対象の視線方向の映像を少なくとも含みうる。周囲環境情報取得装置２２０は、取得した映像情報を、通信部を通じて、酔い状態判定装置２３０に送信する。
【０１３６】
ステップＳ２１２において、酔い状態判定装置２３０は、映像情報を、周囲環境情報取得装置２２０から受信する。酔い状態判定装置２３０の第二指標取得部２３５は、受信した映像情報に基づき加速度を検出する。本例以下において、ステップＳ２１２において映像に基づき検出された加速度を「第一加速度」という。当該第一加速度は、対象が見ている映像に基づく加速度に相当する。当該第一加速度は、例えば対象の前後方向の加速度、左右方向の加速度、及び上下方向の加速度のうちから選ばれる１つ若しくは２つの方向における加速度であってよく、又は、これら３つの加速度の全てであってもよい。
【０１３７】
ステップＳ２１３において、酔い状態判定装置２３０に含まれる加速度センサ２３２が、加速度を検出する。以下、ステップＳ２１３において加速度センサにより検出された加速度を「第二加速度」という。当該第二加速度は、対象の前庭器官によって感知される加速度に相当する。
【０１３８】
ステップＳ２１４において、第二指標取得部２３５が、加速度センサ２３２により検出された第二加速度を取得する。当該第二加速度は、例えば対象の前後方向の加速度、左右方向の加速度、及び上下方向の加速度のうちから選ばれる１つ若しくは２つの加速度であってよく、又は、これら３つの加速度の全てであってもよい。好ましくは、当該第二加速度の方向は、ステップＳ２１２において取得された第一加速度の方向に対応するものでありうる。
【０１３９】
ステップＳ２１５において、第二指標取得部２３５は、ステップＳ２１２において取得された第一加速度とステップＳ２１３において取得された第二加速度との間の差を求める。好ましくは、同じ方向の加速度間の差を求める。第二指標取得部２３５は、当該差を第二の酔い状態指標として取得する。
【０１４０】
ステップＳ２１６において、酔い状態判定部２３６が、ステップＳ２１５において求められた差が閾値以上であるかを判定する。以下、ステップＳ２１６における判定に用いられる閾値を第二閾値という。当該第二閾値は、予め設定されたものであってよく、又は、随時更新されてもよい。当該第二閾値は、例えばデータベース、より具体的にはクラウドデータベース中に格納されているデータに基づき設定又は更新されてよい。当該設定又は更新のために用いられるデータとして例えば、過去に取得された第一加速度及び第二加速度の間の差、対象について行われた過去の酔い状態判定結果、及び対象の身体情報から選ばれる１つ以上が用いられてよい。また、当該データとして、対象以外のヒトについて過去に取得された第一加速度及び第二加速度の間の差、対象以外のヒトについて行われた過去の酔い状態判定結果、及び対象以外のヒトについて身体情報が用いられてもよい。
ステップＳ２１６において、前記第一加速度と第二加速度との間の差が前記第二閾値以上である場合には、酔い状態判定部２３６は、処理をステップＳ２２１に進める当該差が当該第二閾値未満である場合には、処理はステップＳ２１１及びＳ２１３へ戻され、再度ステップＳ２１１及びＳ２１３の処理が行われうる。
【０１４１】
ステップＳ２２１において、酔い状態判定部２３６は、前記変動率又は前記アミラーゼ活性度が前記第一閾値以上であり且つ前記第一加速度と第二加速度との間の前記差が前記第二閾値以上であるかを判定する。
前記変動率又は前記アミラーゼ活性度が前記第一閾値以上であり且つ前記第一加速度と第二加速度との間の前記差が前記第二閾値以上である場合には、酔い状態判定部２３６は、対象が酔い状態になる又は酔い状態になっていると判定し、処理をステップＳ２２２に進める。
前記変動率又は前記アミラーゼ活性度が前記第一閾値以上であり且つ前記第一加速度と第二加速度との間の前記差が前記第二閾値以上であるという条件を満たさない場合には、酔い状態判定部２３６は、対象が酔い状態にならない又は酔い状態になっていないと判定し、処理がステップＳ２０２、Ｓ２１１、及びＳ２１３に戻される。
【０１４２】
ステップＳ２２２において、制御部２３１は、例えば電流が流される電極の選択及び／又は電流の大きさの選択を行いうる。これらの選択は、上記（２）の「（２−２）第１の例の酔い状態判定システムによる判定処理の例の説明」において説明したとおりに行われてよい。代替的には、表示装置２４０又は他の構成要素に格納されているデータに基づきこれらの選択が行われてもよい。
【０１４３】
ステップＳ２２３において、制御部２３１は、ステップＳ２２２において選択された電流の大きさが上限値を超えていないかを判定する。当該上限値は予め設定されていてよく又は対象に応じて適宜変更されてもよい。当該上限値は、例えば３ｍＡ、４ｍＡ、又は５ｍＡでありうる。
ステップＳ２２２において選択された電流の大きさが当該上限値を超えていない場合は、制御部２３１は処理をステップＳ２２４に進める。
ステップＳ２２２において選択された電流の大きさが当該上限値を超えている場合は、制御部２３１は処理をステップＳ２２５に進める。
【０１４４】
ステップＳ２２４において、制御部２３１は、酔い状態制御部２３３を駆動して、対象に刺激を与えうる。本例においては、酔い状態制御部２３３は、例えばステップＳ２２３において選択された電極に同ステップにおいて選択された大きさの電流を印加しうる。これにより対象の前庭器官に電流が印加されうる。これにより、第一加速度と第二加速度との間の差を解消することができ、酔い状態になることを防ぎ又は酔い状態を抑制することができる。電流の印加は、例えば所定時間の経過後に停止されてよく、又は、ｄＳ／ｄｔが前記第一閾値未満になったことに応じて停止されてもよい。電流印加の停止後に、ステップＳ２０２、Ｓ２１１、及びＳ２１３の処理が再度行われうる。
代替的には、電流の印加が行われたまま、ステップＳ２０２、Ｓ２１１、及びＳ２１３の処理が再度行われてもよい。
ステップＳ２２４における電流印加後に、制御部２３１は、処理をステップＳ２２６に進める。
【０１４５】
ステップＳ２２４において印加される電流の具体例は、上記（２）の「（２−２）第１の例の酔い状態判定システムによる判定処理の例の説明」において説明したとおりでありうる。
【０１４６】
ステップＳ２２５において、制御部２３１は、エラーを発して酔い状態判定装置２３０を停止させうる。当該エラーは、例えば表示装置２４０から音声又は映像によって対象に通知されうる。また、酔い状態判定装置２３０の停止に伴い、生体情報取得装置２１０及び／又は周囲環境情報取得装置２２０も停止されてよい。
【０１４７】
ステップＳ２２６において、制御部２３１は、酔い状態判定処理を終了するかを判定する。例えば処理を終了させる対象操作に応じた信号が検出された場合に、処理を終了すると判定する。処理を終了すると判定された場合、制御部は処理を終了する。当該信号が検出されない場合は、制御部２３１は処理をステップＳ２０２、Ｓ２１１、及びＳ２１３に戻す。
【０１４８】
以上の処理によって、例えばＶＲ映像を視聴している場合において、酔い状態を適切に判定することができる。ＶＲ映像は酔い状態が引き起こしうる。本例の酔い状態判定システムは、以上のとおりＶＲ映像による酔い状態を適切に判定することができるので、例えば酔い状態になること又はなっていることを対象に通知することが可能となり、当該通知によって対象にＶＲ映像の視聴をやめることを促すことができる。また、本例の酔い状態判定システムは、加速度差に応じた適切な刺激（電流）が対象に付与されるので、酔い状態になることを防ぐ又は酔い状態を抑制することもできる。
【０１４９】
（４）第１の実施形態の第３の例（ＶＲゲーム開発への適用例）
【０１５０】
本例の酔い状態判定システムのブロック図を図１５に示し、且つ、当該システムの構成例を図１６に示す。また、当該システムによる酔い状態判定処理のフローの一例を図１７に示す。本例の酔い状態判定システムは、上記（３）で説明した第２の例の酔い状態判定システムを、ＶＲゲームの開発に適用するための変形したものである。本例の酔い状態判定システムによって、より効率的及び／又はより短期間でＶＲ酔いが起こりにくいゲームを作成することができる。さらには、より効果的にＶＲ酔いを抑制することができる。
本例においても、第一指標取得部は、第一の酔い状態指標として唾液中のアミラーゼ活性度を取得し、且つ、第二指標取得部は、対象の頭部の動きに関する動き情報及び当該対象が視覚によって知覚する周囲映像情報に基づき取得される加速度の差を第二の酔い状態指標として取得する。
【０１５１】
（４−１）第３の例の酔い状態判定システムの構成の説明
【０１５２】
図１５に示されるとおり、本技術の酔い状態判定システム３００は、唾液中のアミラーゼ活性度を測定する生体情報取得装置（アミラーゼ検出装置）３１０、当該システムを使用する対象が視覚によって認識する映像を取得する周囲環境情報取得装置（映像取得装置）３２０、及び酔い状態判定装置３３０を含む。
【０１５３】
生体情報取得装置３１０、周囲環境情報取得装置３２０、及び酔い状態判定装置３３０は、上記（３）の「（３−１）第２の例の酔い状態判定システムの構成の説明」において説明した生体情報取得装置２１０、周囲環境情報取得装置２２０、及び酔い状態判定装置２３０と同じであり、その説明が本例にもあてはまる。
【０１５４】
本例においても、周囲環境情報取得装置３２０及び酔い状態判定装置３３０は、表示装置（例えばＶＲ視聴用装置など）３４０にその構成要素として含まれている。表示装置３４０は、情報処理装置（例えばゲーム機器など）３５０と有線又は無線で接続されている。表示装置３４０は、情報処理装置３５０から送信されたデータに基づき映像（例えばＶＲ映像など）を表示しうる。
【０１５５】
また、酔い状態判定システム３００は、酔い状態を解析する為に用いられる解析用情報処理装置３６０をさらに含む。解析用情報処理装置３６０は、酔い状態判定装置３３０と有線又は無線によって接続されている。また、解析用情報処理装置３６０は、生体情報取得装置３１０及び／又は周囲環境情報取得装置３２０と接続されていてもよい。
【０１５６】
解析用情報処理装置３６０は、酔い状態判定装置３３０による酔い状態判定のために用いられたデータ（例えば生体情報、映像情報、及び加速度情報など）及び判定結果、酔い状態判定装置３３０により対象に付与された酔い状態制御用刺激に関する情報（例えば電流情報など）、並びに当該刺激による効果に関する情報（例えば刺激付与後の生体情報など）を、酔い状態判定システム３００を構成する装置から取得することができる。解析用情報処理装置３６０は、これらの取得された情報に基づき、例えば映像と酔い状態との関係を解析しうる。これにより、酔い状態を引き起こしやすい映像であるかを判定することができ、さらには酔い状態を引き起こしにくいように映像を改善することができる。
【０１５７】
解析用情報処理装置３６０は、例えば表示部３６１を含みうる。表示部３６１は、例えば図１６に示されるとおり、生体情報（例えばアミラーゼ活性度など）の変動を表示しうる。さらに、表示部３６１は、酔い状態判定装置３３０により対象に付与された酔い状態制御用刺激（例えば電流刺激）に関する情報及び／加速度情報も表示しうる。さらに、表示部３６１は、対象に提示された映像情報（例えばゲーム映像など）も表示しうる。このように、解析用情報処理装置３６０は、各種データを可視化して対象に提示する。これにより、酔い状態を引き起こしやすい映像であるかをより判定しやすくなり、さらには酔い状態を引き起こしにくいように映像をより改善しやすくなる。
【０１５８】
（４−２）第３の例の酔い状態判定システムによる判定処理の例の説明
【０１５９】
図１７に示されるフロー図は、ステップＳ３００の解析工程が追加されていること以外は、図１４に示されるフロー図と同じである。そのため、ステップＳ３００以外のステップには、図１４に関して述べた説明があてはまる。以下では、ステップＳ３００について説明する。
【０１６０】
ステップＳ３００において、酔い状態判定装置３３０は、ステップＳ２２１における判定結果及び／又はステップＳ２２４において印加された電流に関する情報を、解析用情報処理装置３６０に送信しうる。また、ステップＳ３００において、酔い状態判定装置３３０は、当該判定において用いられたデータ（例えば生体情報、映像情報、及び加速度情報のいずれか１つ以上）を、解析用情報処理装置３６０に送信しうる。解析用情報処理装置３６０は、酔い状態判定装置３３０から送信されたデータを受信し、そして、これらのデータを解析しうる。また、解析用情報処理装置３６０は、これらデータを表示部３６１により表示しうる。
【０１６１】
図１７において、上記送信はステップＳ２２４の後に行われているが、他のステップの後に行われてもよい。例えば、ステップＳ２０２の後に、生体情報取得装置３１０が、生体情報を解析用情報処理装置３６０に送信してもよい。また、ステップＳ２１２の後に、酔い状態判定想定２３０が、加速度情報を解析用情報処理装置３６０に送信してもよい。また、ステップＳ２１４の後に、酔い状態判定想定２３０が、加速度情報を解析用情報処理装置３６０に送信してもよい。送信される情報の種類及び送信タイミングは、必要な解析に応じて適宜選択されてよい。
【０１６２】
（５）第１の実施形態の第４の例（アミューズメントパークのアトラクションへの適用例）
【０１６３】
本例の酔い状態判定システムのブロック図を図１８に示し、且つ、当該システムの構成例を図１９に示す。また、当該システムによる酔い状態判定処理のフローの一例を図２０に示す。本例の酔い状態判定システムは、上記（２）で説明した第１の例の酔い状態判定システムを、アミューズメントパークのアトラクションに乗る対象の酔い状態の予防又は低減のために変形したものである。
本例においても、第一指標取得部は、第一の酔い状態指標として唾液中のアミラーゼ活性を取得し、且つ、第二指標取得部は、対象の頭部の動きに関する動き情報及び当該対象が視覚によって知覚する周囲映像情報に基づき取得される加速度の差を第二の酔い状態指標として取得する。
【０１６４】
（５−１）第４の例の酔い状態判定システムの構成の説明
【０１６５】
図１８に示されるとおり、本技術の酔い状態判定システム４００は、唾液中のアミラーゼ活性を測定する生体情報取得装置（アミラーゼ検出装置）４１０、当該システムを使用する対象が視覚によって認識する映像を取得する周囲環境情報取得装置（映像取得装置）４２０、及び酔い状態判定装置４３０を含む。
【０１６６】
生体情報取得装置４１０、周囲環境情報取得装置４２０、及び酔い状態判定装置４３０は、上記（２）の「（２−１）第１の例の酔い状態判定システムの構成の説明」において説明したものと同じであり、その説明が本例にもあてはまる。
【０１６７】
酔い状態判定システム４００は、移動体制御部４４０をさらに含む。移動体制御部４４０は、酔い状態判定装置４３０による判定結果に応じて、対象が乗っている移動体の動きを制御する。移動体制御部４４０は、例えば当該移動体の加速度又は速度を制御しうる。当該移動体は、例えば図１９に示されるとおり、アミューズメントパークのアトラクション４５０でありうる。代替的には、当該移動体は、当該アトラクション以外の乗り物であってもよい。当該移動体は、例えば自動車などの車両あってもよい。
移動体制御部４４０は、上記１．において説明した制御部１１と同様に、移動体制御を行うための酔い状態判定装置４３０に実行させるためのプログラムとＯＳとが格納されたハードディスク、ＣＰＵ又はＭＰＵ、及びメモリにより構成されてよい。移動体制御部４４０は、制御部４３１に含まれていてもよい。
【０１６８】
移動体制御部４４０が移動体の動きを制御することで、対象が酔い状態になることを予防することができ又は酔い状態を緩和することができる。酔い状態の予防又は緩和は、例えば前記第一加速度と前記第二加速度との間の差を減らすように、当該移動体を制御することによって行われうる。
【０１６９】
移動体制御部４４０による移動体制御によって、酔い状態の予防又は緩和が可能であるので、例えば酔い状態制御部よる刺激の程度を低減することができる。代替的には、酔い状態制御部よる刺激を与えることなく、酔い状態を予防又は緩和することもできる。
【０１７０】
（５−２）第４の例の酔い状態判定システムによる判定処理の例の説明
【０１７１】
図２０に示されるフロー図は、ステップ４００が追加されていること以外は、図７に示されるフロー図と同じである。そのため、ステップＳ４００以外のステップには、図７に関して述べた説明があてはまる。以下では、主にステップＳ４００について説明する。
【０１７２】
ステップＳ４００において、移動体制御部４４０は移動体の動きを制御する。例えば、移動体制御部４４０は、前記第一加速度と前記第二加速度との間の差を減らすように、当該移動体の加速度又は速度を減少又は増加させうる。これにより、対象が酔い状態になることを予防することができ又は対象の酔い状態を緩和することができる。
【０１７３】
図２０に示されるフロー図において、ステップＳ４００における移動体の動きの制御によって酔い状態の予防又は緩和が行われるので、ステップＳ２２４において印加される電流は、ステップＳ４００が行われない場合に比べて小さくてよく、又は、ステップＳ２２２、Ｓ２２３、及びＳ２２４が行われなくてもよい。例えば、ステップＳ２２１において、酔い状態判定部２３６が、対象が酔い状態になる又はなっていると判定した場合に、制御部２３１は、処理をステップＳ４００に進める。
【０１７４】
（６）第１の実施形態の第５の例（訓練用シミュレータへの適用例）
【０１７５】
本例の酔い状態判定システムのブロック図を図２１に示し、且つ、当該システムの構成例を図２２に示す。また、当該システムによる酔い状態判定処理のフローの一例を図２３に示す。本例の酔い状態判定システムは、上記（２）で説明した第１の例の酔い状態判定システムを、移動体（例えば船及び飛行機など）の乗員を酔いにくくするための訓練用シミュレータとして構成したものである。
本例においても、第一指標取得部は、第一の酔い状態指標として唾液中のアミラーゼ活性を取得し、且つ、第二指標取得部は、対象の頭部の動きに関する動き情報及び当該対象が視覚によって知覚する周囲映像情報に基づき取得される加速度の差を第二の酔い状態指標として取得する。
【０１７６】
（６−１）第５の例の酔い状態判定システムの構成の説明
【０１７７】
図２１に示されるとおり、本技術の酔い状態判定システム５００は、唾液中のアミラーゼ活性を測定する生体情報取得装置（アミラーゼ検出装置）５１０、当該システムを使用する対象が視覚によって認識する映像を取得する周囲環境情報取得装置（映像取得装置）５２０、及び酔い状態判定装置５３０を含む。
【０１７８】
生体情報取得装置５１０及び酔い状態判定装置５３０は、上記（２）の「（２−１）第１の例の酔い状態判定システムの構成の説明」において説明したものと同じであり、その説明が本例にもあてはまる。
【０１７９】
酔い状態判定システム５００は、訓練用映像表示装置５４０と組み合わせて使用されうる。訓練用映像表示装置５４０は、図２２に示されるように、例えば飛行機又は船などの酔い易い移動体に乗っているかのような映像及び／又は動き（例えば振動など）を対象に提示する。
【０１８０】
周囲環境情報取得装置５２０は、例えば訓練用映像表示装置５４０により対象に提示される映像情報を取得する。周囲環境情報取得装置５２０は、例えばイメージセンサ５２１を備えている。周囲環境情報取得装置５２０は、通信部（図示せず）をさらに含み、当該通信部によって、酔い状態判定装置５３０と有線又は無線によって通信可能であるように構成されている。周囲環境情報取得装置５２０は、図２２に示されるように、アイウェアとして構成されていてよい。イメージセンサ５２１は、当該アイウェアを装着した対象が視覚によって知覚する外界風景と同様の映像を取得する。イメージセンサ５２１は、例えばＣＭＯＳ又はＣＣＤであってよい。
【０１８１】
酔い状態判定システム５００に含まれる酔い状態制御部５３３は、例えば前記第一加速度と前記第二加速度との間に差が生じるように又は前記第一加速度と前記第二加速度との間をより大きくするような電流を対象の前庭器官に印加しうる。これにより、例えば酔いが起こりやすいような環境をシミュレートすることができ、酔いに対する訓練が可能となる。
【０１８２】
酔い状態判定システム５００は、訓練用映像表示装置５４０に表示される映像を制御する映像制御部５５０を含みうる。映像制御部５５０は、例えば、酔い状態制御部５３３により付与される電流に応じて、訓練用映像表示装置５４０に表示される映像を制御しうる。例えば、より酔いが起こりやすくなるように映像を制御しうる。
また、酔い状態判定システム５００は、訓練対象に動き（例えば振動など）を与えるように、例えば訓練対象が乗っている座席などを動かす動き制御部（図示せず）を含んでもよい。当該動き制御部によって、訓練対象に動きを与えることで、より酔いが起こりやすくなりうる。
【０１８３】
（６−２）第５の例の酔い状態判定システムによる判定処理の例の説明
【０１８４】
図２３のフロー図と図７のフロー図との主な違いは、ステップＳ５３０が追加されていることである。また、第一加速度の取得のためのステップなど、他のステップについても相違がある。以下では、図７に示されるフロー図との相違点について主に説明する。
【０１８５】
図２３のステップＳ５００において、訓練用映像表示装置５４０が起動されることに応じて、酔い状態判定システム５００が酔い状態判定処理を開始する。より具体的には、酔い状態判定システム５００を構成する酔い状態判定装置５３０、生体情報取得装置５１０及び周囲環境情報取得装置５２０が起動する。
【０１８６】
ステップＳ５０１〜Ｓ５０５は、上記（２）の「（２−２）第１の例の酔い状態判定システムによる判定処理の例の説明」において説明したステップＳ１０１〜Ｓ１０５と同じである。当該説明が本例においても当てはまるので、ステップＳ５０１〜Ｓ５０５についての説明は省略する。
【０１８７】
ステップＳ５１１において、周囲環境情報取得装置５２０は、訓練用映像表示装置５４０から対象に対して提示される映像情報を取得する。当該映像は、対象が見ている映像の少なくとも一部を含み、例えば対象の視線方向の映像を少なくとも含みうる。当該映像の取得は、より具体的にはイメージセンサ５２１により行われうる。周囲環境情報取得装置５２０は、取得した映像情報を、通信部を通じて、酔い状態判定装置５３０に送信する。
【０１８８】
ステップＳ５１２において、酔い状態判定装置５３０は、映像情報を、周囲環境情報取得装置５２０から受信する。酔い状態判定装置５３０の第二指標取得部５３５は、受信した映像情報に基づき加速度を検出する。以下、ステップＳ５１２において映像に基づき検出された加速度を「第一加速度」という。当該第一加速度は、対象が見ている映像に基づく加速度に相当する。当該第一加速度は、例えば対象の前後方向の加速度、左右方向の加速度、及び上下方向の加速度のうちから選ばれる１つ若しくは２つの加速度であってよく、又は、これら３つの加速度の全てであってもよい。
【０１８９】
ステップＳ５１３〜Ｓ５１６及びＳ５２１は、上記（２）の「（２−２）第１の例の酔い状態判定システムによる判定処理の例の説明」において説明したステップＳ１１３〜Ｓ１１６及びＳ１２１と同じである。当該説明が本例においても当てはまるので、ステップＳ５１３〜Ｓ５１６及びＳ５２１についての説明は省略する。
【０１９０】
ステップＳ５２２において、制御部５３１は、例えば電流が流される電極の選択及び／又は電流の大きさの選択を行いうる。
電流が印加される電極は、対象に加速度を感じさせたい方向に応じて適宜選択されてよい。上記でも述べたように、対象に上下方向における加速度差を感じさせるために、乳様突起付近の電極及び首部分の電極が、電流が流されるべき電極として選択される。対象に左右方向における加速度差を感じさせるために、左右のこめかみ付近の電極が、電流が流されるべき電極として選択される。対象に前後方向における加速度差を感じさせるために、乳様突起付近の電極及びこめかみ付近の電極が、電流が流される電極であると選択される。
印加される電流の大きさは、例えば印加電流と当該電流に基づき誘発される酔い状態との関係に基づき設定されてよい。本技術において、印加される電流の大きさは、例えば０．０１ｍＡ〜３ｍＡ、より好ましくは０．１ｍＡ〜２ｍＭ、さらにより好ましくは０．５ｍＡ〜１．５ｍＡでありうる。
印加される電流は、徐々に上記選択された値へ上昇されるのではなく、印加開始当初から、上記選択された値の電流が印加されてよい。これにより、酔い状態を誘発するような加速度を対象に感じさせることができる。
【０１９１】
ステップＳ５２３において、制御部５３１は、ステップＳ５２２において選択された電流の大きさが上限値を超えていないかを判定する。当該上限値は予め設定されていてよく又は対象に応じて適宜変更されてもよい。当該上限値は、例えば３ｍＡ、４ｍＡ、又は５ｍＡでありうる。
ステップＳ５２２において選択された電流の大きさが当該上限値を超えていない場合は、制御部５３１は処理をステップＳ５２４に進める。
ステップＳ５２２において選択された電流の大きさが当該上限値を超えている場合は、制御部５３１は処理をステップＳ５２５に進める。
【０１９２】
ステップＳ５２５において、制御部５３１は、エラーを発して訓練用映像表示装置５４０及び酔い状態判定装置５３０を停止させうる。当該エラーは、例えば音声又は映像によって対象に通知されうる。また、酔い状態判定装置５３０の停止に伴い、生体情報取得装置５１０及び／又は周囲環境情報取得装置５２０も停止されてよい。
【０１９３】
ステップＳ５２４において、制御部５３１は、酔い状態制御部５３３を駆動して、対象に刺激を与えうる。本例においては、例えばステップＳ５２３において選択された電極に同ステップにおいて選択された大きさの電流が印加されうる。これにより、酔い状態を誘発するような加速度を対象に感じさせることができる。電流の印加は、例えば所定時間の経過後に停止されてよい。ステップＳ５２４における電流印加後に、制御部５３１は、処理をステップＳ５３０に進める。
【０１９４】
ステップＳ５３０において、映像制御部５５０は、例えば、ステップＳ５２４において酔い状態制御部５３３により付与される電流に応じて、訓練用映像表示装置５４０に表示される映像を制御しうる。例えば、より酔いが起こりやすくなるように映像を制御しうる。
なお、ステップＳ５３０は、ステップＳ５２４の後（特には直後）に行われてもよく、又は、ステップＳ５２４と同時に行われてもよい。
【０１９５】
ステップＳ５２６において、制御部５３１は、酔い状態判定処理を終了するかを判定する。例えば処理を終了させる対象の操作に応じた信号が検出された場合に、処理を終了すると判定する。処理を終了すると判定された場合、制御部５３１は処理を終了する。当該信号が検出されない場合は、制御部５３１は処理をステップＳ５０２、Ｓ５１１、及びＳ５１３に戻す。
【０１９６】
以上の処理によって、例えば対象に酔い状態を誘発するような加速度を感じさせることができ、これは、酔い状態を引き起こしうる加速度に対する耐性を対象にもたせるために役立つ。
【０１９７】
（７）第１の実施形態の第６の例（アミラーゼ活性及び匂いに基づく判定の例）
【０１９８】
本例の酔い状態判定システムのブロック図を図２４に示し、且つ、本例の酔い状態判定システムの構成例を図２５に示す。また、当該システムによる酔い状態判定処理のフローの一例を図２６に示す。本例において、第一指標取得部は、第一の酔い状態指標として唾液中のアミラーゼ活性を取得し、且つ、第二指標取得部は、対象が嗅覚によって知覚する匂いに関する匂い情報を第二の酔い状態指標として取得する。
【０１９９】
（７−１）第６の例の酔い状態判定システムの構成の説明
【０２００】
図２４に示されるとおり、本技術の酔い状態判定システム６００は、唾液中のアミラーゼ活性を測定する生体情報取得装置（アミラーゼ検出装置）６１０、当該システムを使用する対象が嗅覚によって知覚する匂い情報を取得する周囲環境情報取得装置（匂い検出装置）６２０、及び酔い状態判定装置６３０を含む。
図２５に示されるとおり、生体情報取得装置６１０は、対象の口腔内の唾液と接触可能であるように、対象の口腔内に装着される。周囲環境情報取得装置６２０は、対象の感じる匂いに関する情報を取得可能であるように、対象の鼻付近に装着される。酔い状態判定装置６３０は、対象の頭部に装着されてよく、例えば対象の耳付近に装着されうる。
【０２０１】
生体情報取得装置６１０は、上記（２）の「（２−１）第１の例の酔い状態判定システムの構成の説明」において説明した生体情報取得装置１１０と同じであり、その説明が本例にもあてはまる。
【０２０２】
周囲環境情報取得装置６２０は、匂いセンサ６２１及び酔い状態制御部（匂い放出部）６２２を備えている。周囲環境情報取得装置６２０は、通信部（図示せず）をさらに含み、当該通信部によって、酔い状態判定装置６３０と有線又は無線によって通信可能であるように構成されている。
【０２０３】
周囲環境情報取得装置６２０は、鼻付近に匂いセンサ６２１が配置されるように構成されうる。これにより対象により感知される匂いにより近い匂いを、匂いセンサ６２１が検出することができる。
【０２０４】
匂いセンサ６２１は、例えばコンダクトメトリックタイプの匂いセンサ（ケモレジスタ）、キャパシティブタイプの匂いセンサ（ケモキャパシタ）、ポテンショメトリックタイプの匂いセンサ（ケモダイオード又はケモトランジスタなど）、カロリメトリックタイプの匂いセンサ（サーモケモセンサ）、グラビメトリックタイプの匂いセンサ、オプティカルタイプの匂いセンサ、及び電気化学タイプの匂いセンサのうちから選ばれるいずれかであってよい。
【０２０５】
酔い状態制御部（匂い放出部）６２２は、酔い状態判定部６３６の判定結果に基づき、前記対象に匂いを提示する又は前記対象周囲の匂いを除去する。より具体的には、酔い状態制御部（匂い放出部）６２２は、酔い状態判定部６３６による判定の結果に応じて、酔い状態になることを予防する又は酔い状態を緩和するための物質を放出する。当該物質は、例えば酔い状態をもたらしうる匂いを消す若しくはマスキングする物質であってよく、又は、当該匂いに勝る匂いを有する物質でありうる。
【０２０６】
酔い状態判定装置６３０は制御部６３１を含み、制御部６３１は、第一指標取得部６３４、第二指標取得部６３５、及び酔い状態判定部６３６を含む。
また、酔い状態判定装置１３０は通信部（図示せず）を含み、当該通信部によって、生体情報取得装置６１０及び周囲環境情報取得装置６２０と有線又は無線によって通信可能であるように構成されている。
【０２０７】
第一指標取得部６３４は、アミラーゼセンサ６１２により取得されたアミラーゼ活性を第一の酔い状態指標として取得する。
【０２０８】
第二指標取得部６３５は、周囲環境情報取得装置６２０の匂いセンサ６２１により取得された匂い情報を第二の酔い状態指標として取得する。
【０２０９】
酔い状態判定部６３６は、前記第一の酔い状態指標及び第二の酔い状態指標に基づき、対象が酔い状態になるか又はなっているかを判定する。
【０２１０】
（７−２）第６の例の酔い状態判定システムによる判定処理の例の説明
【０２１１】
図２６のステップＳ６００において、酔い状態判定システム６００が、酔い状態判定処理を開始する。ステップＳ６００において、酔い状態判定装置６３０が、対象によって入力された当該処理の開始信号に応じて起動し、そして、酔い状態判定装置６３０が、生体情報取得装置６１０及び周囲環境情報取得装置６２０を起動させるための信号をこれら装置にそれぞれ送信する。これら装置は、当該信号を受信したことに応じて起動する。
【０２１２】
ステップＳ６０１〜Ｓ６０３は、上記（２）の「（２−２）第１の例の酔い状態判定システムによる判定処理の例の説明」において説明したステップＳ１０１〜Ｓ１０３と同じである。当該説明が本例においても当てはまるので、ステップＳ６０１〜Ｓ６０３についての説明は省略する。
【０２１３】
ステップＳ６０４において、制御部６３１（例えば酔い状態判定部６３６）が、前記アミラーゼ活性度又は前記変動率が閾値以上であるかを判定する。以下、ステップＳ６０４における判定に用いられる閾値を第一閾値という。当該第一閾値は、予め設定されたものであってよく、又は、随時更新されてもよい。当該第一閾値は、例えばデータベース、より具体的にはクラウドデータベース中に格納されているデータに基づき設定又は更新されてよい。当該設定又は更新のために用いられるデータとして例えば、過去に計測された対象のアミラーゼ活性情報、対象について行われた過去の酔い状態判定結果、及び対象の身体情報から選ばれる１つ以上が用いられてよい。また、当該データとして、対象以外のヒトのアミラーゼ活性情報、対象以外のヒトについて行われた過去の酔い状態判定結果、及び対象以外のヒトについて身体情報が用いられてもよい。
ステップＳ６０４において、前記アミラーゼ活性度又は前記変動率が前記第一閾値以上である場合には、酔い状態判定部６３６は、処理をステップＳ６０５に進める。前記アミラーゼ活性度又は前記変動率が閾値未満である場合には、酔い状態判定部６３６は、処理をステップＳ６２１に進める。
【０２１４】
ステップＳ６０５において、処理がステップＳ６０２に戻され、再度ステップＳ６０２〜Ｓ６０４の処理が行われうる。
また、酔い状態制御部６３３が対象に匂いを提示している状態でステップＳ６０２〜６０４が行われた場合は、匂い放出部６３３は、ステップＳ６０５において当該匂いの提示を停止する。
【０２１５】
ステップＳ６１１において、周囲環境情報取得装置６２０は、対象の鼻付近の匂いを検出する。当該匂いの検出は、より具体的には匂いセンサ６２１により行われうる。周囲環境情報取得装置６２０は、検出した匂いに関する情報を、通信部を通じて、酔い状態判定装置６３０に送信する。当該匂いに関する情報は、より好ましくは所定の種類の匂いの強さでありうる。
【０２１６】
ステップＳ６１２において、酔い状態判定装置６３０は、前記匂いに関する情報を、周囲環境情報取得装置６２０から受信する。酔い状態判定装置６３０の第二指標取得部６３５は、受信した前記匂いに関する情報、を第二の酔い状態指標として取得する。
【０２１７】
ステップＳ６１２において、酔い状態判定部６３６が、前記ステップＳ１１５において取得された第二の酔い状態指標（例えば匂いの強さなど）が閾値以上であるかを判定する。以下、ステップＳ６１２における判定に用いられる閾値を第二閾値という。当該第二閾値は、予め設定されたものであってよく、又は、随時更新されてもよい。当該第二閾値は、例えばデータベース、より具体的にはクラウドデータベース中に格納されているデータに基づき設定又は更新されてよい。当該設定又は更新のために用いられるデータとして例えば、過去に取得された匂い情報、対象について行われた過去の酔い状態判定結果、及び対象の身体情報から選ばれる１つ以上が用いられてよい。また、当該データとして、対象以外のヒトについて過去に取得された匂い情報、対象以外のヒトについて行われた過去の酔い状態判定結果、及び対象以外のヒトについて身体情報が用いられてもよい。
ステップＳ６１２において、前記第二の酔い状態指標が前記第二閾値以上である場合には、酔い状態判定部６３６は、処理をステップＳ６２１に進める。前記第二の酔い状態指標が前記第二閾値未満である場合には、処理をステップＳ６１１に戻し、再度ステップＳ６１１及びＳ６１２が行われうる。
【０２１８】
ステップＳ６２１において、酔い状態判定部６３６は、前記変動率又は前記アミラーゼ活性度が前記第一閾値以上であり且つ前記第二の酔い状態指標が前記第二閾値以上であるかを判定する。
前記変動率又は前記アミラーゼ活性度が前記第一閾値以上であり且つ前記第二の酔い状態指標が前記第二閾値以上である場合には、酔い状態判定部６３６は、対象が酔い状態になる又は酔い状態になっていると判定し、処理をステップＳ６２２に進める。
前記アミラーゼ活性度又は前記変動率が前記第一閾値以上であり且つ前記第二の酔い状態指標が前記第二閾値以上であるという条件を満たさない場合には、酔い状態判定部６３６は、対象が酔い状態にならない又は酔い状態になっていないと判定し、処理がステップＳ６０２及びＳ６１１に戻される。
【０２１９】
ステップＳ６２２において、制御部６３１は、例えば対象に提示される匂いの種類の選択及び／又は対象に提示される匂いの強度の選択を行いうる。
匂いの種類は、匂いセンサにより検出された匂いの種類に応じて選択されうる。匂いの強度は、例えばアミラーゼ活性度Ｓの変動率ｄＳ／ｄｔ又はアミラーゼ活性度Ｓに基づき選択されうる。例えば、匂いの強度はｄＳ／ｄｔ×Ｃでありうる。Ｃは補正項であり、例えば予め設定された値であってよく、又は、クラウドデータベース中のデータに基づき導出されてもよい。
【０２２０】
ステップＳ６２２において、クラウドデータベースが参照され、当該クラウドデータベースから、提示される匂いの種類及び／又は提示される匂いの強度が検索されてもよい。当該匂いの強度は、より具体的には匂い物質の放出量でありうる。例えば当該クラウドデータベースは、対象の身体情報（例えば性別、年齢、身長、及び体重など）、対象についての過去の酔い状態判定結果、匂い提示履歴、及び、提示された匂いと当該匂いによるアミラーゼ活性度の応答から選ばれる１つ以上のデータを含んでよい。当該クラウドデータベースは、対象以外のヒトのそれぞれの身体情報（例えば性別、年齢、身長、及び体重など）、対象以外のヒトについての過去の酔い状態判定結果、匂い提示履歴、及び、提示された匂いと当該匂いによるアミラーゼ活性度の応答から選ばれる１つ以上のデータを含んでよい。
例えば対象が初めて本例の酔い状態判定システムを利用する場合は、当該対象に関する酔い状態判定結果のデータは蓄積されていない。そのため、対象以外のヒトに関するデータベースが利用されうる。例えば、対象の身体情報に最も近い身体情報を有する他者のデータ又は対象の身体情報に近い身体情報を有する複数の他者のデータから、提示される匂いの種類及び／又は匂いの強度が選択されうる。
【０２２１】
ステップＳ６２３において、制御部６３１は、ステップＳ６２２において選択された匂い強度が上限値を超えていないかを判定する。当該上限値は予め設定されていてよく又は対象に応じて適宜変更されてもよい。
ステップＳ６２２において選択された匂い強度が当該上限値を超えていない場合は、制御部６３１は処理をステップＳ６２４に進める。
ステップＳ６２２において選択された匂い強度が当該上限値を超えている場合は、制御部６３１は処理をステップＳ６２５に進める。
【０２２２】
ステップＳ６２５において、制御部６３１は、エラーを発して酔い状態判定装置６３０を停止させうる。当該エラーは、例えば音声又は映像によって対象に通知されうる。また、酔い状態判定装置６３０の停止に伴い、生体情報取得装置６１０及び／又は周囲環境情報取得装置６２０も停止されてよい。
【０２２３】
ステップＳ６２４において、制御部６３１は、匂い放出部６２３を駆動して、対象に刺激を与えうる。本例においては、例えばステップＳ６２２において選択された種類及び強度の匂いが、対象に提示されうる。これにより、酔い状態を引き起こしうる又は引き起こした匂いによる対象への影響を解消又は低減することができ、酔い状態になることを防ぎ又は酔い状態を抑制することができる。匂いの提示は、例えば所定時間の経過後に停止されてよく、又は、ｄＳ／ｄｔが前記第一閾値未満になったことに応じて停止されてもよい。匂い提示後に、ステップＳ６０２及びＳ６１１の処理が再度行われうる。
代替的には、匂いの提示が行われたまま、ステップＳ６０２及びＳ６１１の処理が再度行われてもよい。
ステップＳ６２４における電流印加後に、制御部６３１は、処理をステップＳ６２６に進める。
【０２２４】
ステップＳ６２６において、制御部６３１は、酔い状態判定処理を終了するかを判定する。例えば処理を終了させる対象の操作に応じた信号が検出された場合に、処理を終了すると判定する。処理を終了すると判定された場合、制御部は処理を終了する。当該信号が検出されない場合は、制御部６３１は処理をステップＳ６０２及びＳ６１１に戻す。
【０２２５】
以上の処理によって、例えば不快な匂いに曝されている対象の酔い状態を適切に判定することができる。本例の酔い状態判定システムは、以上のとおり酔い状態を適切に判定することができるので、例えば酔い状態になること又はなっていることを対象に通知することが可能となり、当該通知によって匂いを解消するための換気を対象に促すことができる。また、本例の酔い状態判定システムは、当該不快な匂いを解消するための匂いを対象に提示することができるので、酔い状態になることを防ぐ又は酔い状態を抑制することもできる。
【０２２６】
２．第２の実施形態（生体情報取得装置）
【０２２７】
本技術は、対象の生体情報を取得する生体情報取得部を備えており、且つ、前記対象の酔い状態を判定するために、前記対象の動きに関する動き情報及び／又は前記対象が知覚する周囲環境情報に基づき酔い状態指標を取得する指標取得装置と組み合わせて用いられる生体情報取得装置も提供する。
【０２２８】
当該生体情報取得装置は、上記１．において説明したとおりの生体情報取得装置であり、その説明が本実施形態においても当てはまる。当該装置に含まれる前記生体情報取得部は、例えば上記１．において述べた酵素センサ又は匂いセンサでありうる。
当該生体情報取得装置と組み合わせて用いられる前記指標取得装置は、上記１．において説明したとおりの酔い状態判定装置でありうる。これら装置の組み合わせによって、酔い状態を適切に判定することができる。
【０２２９】
３．第３の実施形態（周囲環境情報取得装置）
【０２３０】
本技術は、対象が知覚する周囲環境情報を取得する周囲環境情報取得部を備えており、且つ、前記対象の酔い状態を判定するために、前記対象の生体情報を酔い状態指標として取得する生体情報取得装置と組み合わせて用いられる周囲環境情報取得装置も提供する。当該周囲環境情報取得装置は、上記１．において説明したとおりの周囲環境情報取得装置であり、その説明が本実施形態においても当てはまる。
【０２３１】
当該周囲環境情報取得装置と組み合わせて用いられる生体情報取得装置は、上記１．において説明したとおりの生体情報取得装置であってよい。この組み合わせを、上記１．において説明したとおりの酔い状態判定装置とさらに組み合わせて使用することで、酔い状態を適切に判定することができる。
【０２３２】
４．第４の実施形態（酔い状態判定装置）
【０２３３】
本技術は、対象の生体情報を第一の酔い状態指標として取得する第一指標取得部と、前記対象の動きに関する動き情報及び／又は前記対象が知覚する周囲環境情報に基づき、第二の酔い状態指標を取得する第二指標取得部と、前記第一の酔い状態指標と前記第二の酔い状態指標とに基づき、前記対象が酔い状態になるか又はなっているかを判定する酔い状態判定部とを含む酔い状態判定装置も提供する。当該酔い状態判定装置は、上記１．において説明したとおりの酔い状態判定装置であり、その説明が本実施形態においても当てはまる。
【０２３４】
５．第５の実施形態（酔い状態判定方法）
【０２３５】
本技術に従う酔い状態判定方法は、対象の生体情報を第一の酔い状態指標として取得する第一指標取得工程と、前記対象の動きに関する動き情報及び／又は前記対象が知覚する周囲環境情報に基づき、第二の酔い状態指標を取得する第二指標取得工程と、前記第一の酔い状態指標と前記第二の酔い状態指標とに基づき、前記対象が酔い状態になるか又はなっているかを判定する酔い状態判定工程とを含む。本技術に従う酔い状態判定方法によって、上記１．の（１−２）において説明した効果が奏される。
以下で各工程について、図３及び図２７を参照しながら説明する。図３は上記１．において説明したとおりである。図２７は、当該酔い状態判定方法のフロー図の一例である。
【０２３６】
図２７のステップＳ７０１において、酔い状態判定システム１は、本技術に従う映像投射処理を開始する。
【０２３７】
ステップＳ７０２の第一指標取得工程において、第一指標取得部１２が、対象の生体情報を第一の酔い状態指標として取得する。当該生体情報及び当該第一の酔い状態指標は、上記１．の（１−２）において説明したとおりであり、その説明が本実施形態においても当てはまる。また、本ステップは、例えば上記１．の（２−２）において説明したステップＳ１０３に対応し、その説明が本ステップについても当てはまる。
【０２３８】
ステップＳ７０３に第二指標取得工程において、第二指標取得部１３が、前記対象の動きに関する動き情報及び／又は前記対象が知覚する周囲環境情報に基づき、第二の酔い状態指標を取得する。当該動き情報、当該周囲環境情報、及び当該第二の酔い状態指標は、上記１．の（１−２）において説明したとおりであり、その説明が本実施形態においても当てはまる。本ステップは、例えば上記１．の（２−２）において説明したステップＳ１１５に対応し、その説明が本ステップについても当てはまる。
【０２３９】
ステップＳ７０２及び７０３はこの順に行われてよく若しくは当該順と反対の順に行われてもよく、又は、同時に行われてもよい。
【０２４０】
ステップＳ７０４の判定工程において、酔い状態判定部１４が、前記第一の酔い状態指標と前記第二の酔い状態指標とに基づき、前記対象が酔い状態になるか又はなっているかを判定する。当該判定の詳細は、上記１．の（１−２）において説明したとおりであり、その説明が本実施形態においても当てはまる。本ステップは、例えば上記１．の（２−２）において説明したステップＳ１２１に対応し、その説明が本ステップについても当てはまる。
【０２４１】
ステップＳ７０５において、酔い状態判定システム１は、本技術に従う酔い状態判定処理を終了する。
【０２４２】
ステップＳ７０２〜Ｓ７０４は、より好ましくは繰り返し行われうる。
【０２４３】
ステップＳ７０４とステップＳ７０５との間に、酔い状態制御部１５が、ステップＳ７０４における判定結果に基づき、前記対象の酔い状態を制御する酔い状態制御工程が行われてもよい。当該酔い状態制御工程は、例えば上記１．の（２−２）において説明したステップＳ１２４に対応し、その説明が本ステップにおいても当てはまる。当該酔い状態制御工程後に、ステップＳ７０２〜７０４が再度繰り返されてもよい。
【０２４４】
本技術に従う酔い状態判定方法のより詳細な具体例は、上記１．の各例において説明したとおりであり、その説明が実施形態においても当てはまる。例えばこれらの例において述べたステップが、本技術に従う酔い状態判定方法において行われてよい。
【０２４５】
なお、本技術は、以下のような構成をとることもできる。
〔１〕対象の生体情報を第一の酔い状態指標として取得する第一指標取得部と、
前記対象の動きに関する動き情報及び／又は前記対象が知覚する周囲環境情報に基づき、第二の酔い状態指標を取得する第二指標取得部と、
前記第一の酔い状態指標と前記第二の酔い状態指標とに基づき、前記対象が酔い状態になるか又はなっているかを判定する酔い状態判定部と
を含む酔い状態判定システム。
〔２〕前記酔い状態判定部の判定結果に基づき、前記対象の酔い状態を制御する酔い状態制御部をさらに含む、〔１〕に記載の酔い状態判定システム。
〔３〕前記酔い状態制御部が、データベースから取得した情報に基づき、酔い状態を制御するための処置内容を決定する、〔２〕に記載の酔い状態判定システム。
〔４〕リアルタイムで前記対象の酔い状態を判定する、〔１〕〜〔３〕のいずれか一つに記載の酔い状態判定システム。
〔５〕前記第一の酔い状態指標及び前記第二の酔い状態指標の両方が各指標について設定された基準を満たす場合に、前記酔い状態判定部が、前記対象が酔い状態になる又はなっていると判定する、〔１〕〜〔４〕のいずれか一つに記載の酔い状態判定システム。
〔６〕前記生体情報が、前記対象に由来する酵素に関する情報を含む、〔１〕〜〔５〕のいずれか一つに記載の酔い状態判定システム。
〔７〕前記酵素がアミラーゼである、〔６〕に記載の酔い状態判定システム。
〔８〕前記動き情報が、前記対象の体の動きに関する動き情報であり、
前記周囲環境情報が、前記対象が視覚によって知覚する映像に関する映像情報であり、且つ、
前記第二指標取得部が、前記動き情報及び前記映像情報に基づき、第二の酔い状態指標を取得する、
〔１〕〜〔７〕のいずれか一つに記載の酔い状態判定システム。
〔９〕前記動き情報が、前記対象の体の動きに基づく第一の加速度情報であり、
前記周囲環境情報が、前記対象が視覚によって知覚する映像に基づく第二の加速度情報であり、且つ、
前記第二指標取得部が、前記第一の加速度情報及び前記第二の加速度情報に基づき、第二の酔い状態指標を取得する、
〔８〕に記載の酔い状態判定システム。
〔１０〕前記第二指標取得部が、前記第一の加速度情報と前記第二の加速度情報との差を、前記第二の酔い状態指標として取得する、〔９〕に記載の酔い状態判定システム。
〔１１〕前記酔い状態判定部の判定結果に基づき、前記対象の頭部に電流を与える酔い状態制御部をさらに含む、〔８〕〜〔１０〕のいずれか一つに記載の酔い状態判定システム。
〔１２〕前記周囲環境情報が、前記対象が嗅覚によって知覚する匂いに関する匂い情報であり、且つ、
前記第二指標取得部が、前記匂い情報に基づき、第二の酔い状態指標を取得する、
〔１〕〜〔７〕のいずれか一つに記載の酔い状態判定システム。
〔１３〕前記第二指標取得部が、所定の種類の匂いの強さを、前記第二の酔い状態指標として取得する、〔１２〕に記載の酔い状態判定システム。
〔１４〕前記酔い状態判定部の判定結果に基づき、前記対象に匂いを提示する又は前記対象周囲の匂いを除去する酔い状態制御部をさらに含む、〔１２〕又は〔１３〕に記載の酔い状態判定システム。
〔１５〕前記酔い状態判定部の判定結果を出力する出力部をさらに含む、〔１〕〜〔１４〕のいずれか一つに記載の酔い状態判定システム。
〔１６〕対象の生体情報を取得する生体情報取得部を備えており、且つ、
前記対象の酔い状態を判定するために、前記対象の動きに関する動き情報及び／又は前記対象が知覚する周囲環境情報に基づき酔い状態指標を取得する指標取得装置と組み合わせて用いられる、
生体情報取得装置。
〔１７〕対象が知覚する周囲環境情報を取得する周囲環境情報取得部を備えており、且つ、
前記対象の酔い状態を判定するために、前記対象の生体情報を酔い状態指標として取得する生体情報取得装置と組み合わせて用いられる、
周囲環境情報取得装置。
〔１８〕対象の生体情報を第一の酔い状態指標として取得する第一指標取得部と、
前記対象の動きに関する動き情報及び／又は前記対象が知覚する周囲環境情報に基づき、第二の酔い状態指標を取得する第二指標取得部と、
前記第一の酔い状態指標と前記第二の酔い状態指標とに基づき、前記対象が酔い状態になるか又はなっているかを判定する酔い状態判定部と
を含む酔い状態判定装置。
〔１９〕対象の生体情報を第一の酔い状態指標として取得する第一指標取得工程と、
前記対象の動きに関する動き情報及び／又は前記対象が知覚する周囲環境情報に基づき、第二の酔い状態指標を取得する第二指標取得工程と、
前記第一の酔い状態指標と前記第二の酔い状態指標とに基づき、前記対象が酔い状態になるか又はなっているかを判定する酔い状態判定工程と
を含む酔い状態判定方法。
【符号の説明】
【０２４６】
１  酔い状態判定システム
１０  酔い状態判定装置
１１  制御部
１２  第一指標取得部
１３  第二指標取得部
１４  酔い状態判定部
１５  酔い状態制御部
１６  モーションセンサ
２０  生体情報取得装置
３０  周囲環境情報取得装置
【図１】
2020124370.tif 000003
【図２】
2020124370.tif 000004
【図３】
2020124370.tif 000005
【図４Ａ】
2020124370.tif 000006
【図４Ｂ】
2020124370.tif 000007
【図４Ｃ】
2020124370.tif 000008
【図５】
2020124370.tif 000009
【図６】
2020124370.tif 000010
【図７】
2020124370.tif 000011
【図８】
2020124370.tif 000012
【図９】
2020124370.tif 000013
【図１０】
2020124370.tif 000014
【図１１】
2020124370.tif 000015
【図１２】
2020124370.tif 000016
【図１３】
2020124370.tif 000017
【図１４】
2020124370.tif 000018
【図１５】
2020124370.tif 000019
【図１６】
2020124370.tif 000020
【図１７】
2020124370.tif 000021
【図１８】
2020124370.tif 000022
【図１９】
2020124370.tif 000023
【図２０】
2020124370.tif 000024
【図２１】
2020124370.tif 000025
【図２２】
2020124370.tif 000026
【図２３】
2020124370.tif 000027
【図２４】
2020124370.tif 000028
【図２５】
2020124370.tif 000029
【図２６】
2020124370.tif 000030
【図２７】
2020124370.tif 000031
【図２８】
2020124370.tif 000032
【手続補正書】
【提出日】令和1年12月23日(2019.12.23)
【手続補正１】
【補正対象書類名】明細書
【補正対象項目名】０００７
【補正方法】変更
【補正の内容】
【０００７】
【特許文献１】特開２０１７−７１３７０号公報
【特許文献２】特表２０１８−５１１４５３号公報